(57)【要約】  本発明は、送信UEがリソースを先取りするためにD2D技術において発生する衝突を効果的に低減するために、リソース衝突低減方法およびUEを提供し、通信分野に関し、UEのリソース競合に使用される。方法は、第1のUEにより、S個のリソースからN個の利用可能なリソースを決定することであって、Sが第1のUEによって取得されたリソース構成情報によって示されるリソース数である、決定することと、第1のUEにより、N個の利用可能なリソースに応じてM個のリソースを決定することと、第1のUEにより、M個のリソースを使用することにより、少なくとも1つの第2のUEにデータを送信することとを含む。
2018527824.tif 000002
【特許請求の範囲】
【請求項１】
リソース衝突低減方法であって、
第1のユーザ機器UEにより、S個のリソースからN個の利用可能なリソースを決定するステップであって、Sが前記第1のUEによって取得されたリソース構成情報によって示されるリソース数である、ステップと、
前記第1のUEにより、前記N個の利用可能なリソースに応じてM個のリソースを決定するステップと、
前記第1のUEにより、前記M個のリソースを使用することにより、少なくとも1つの第2のUEにデータを送信するステップと
を備え、
Sが1以上の整数であり、Nが0以上S以下の整数であり、Mが0以上N以下の整数である、
リソース衝突低減方法。
【請求項２】
前記第1のUEにより、前記N個の利用可能なリソースに応じてM個のリソースを決定する前記ステップが、
前記第1のUEにより、前記N個の利用可能なリソースから前記M個のリソースをランダムに選択するステップ
を備える、請求項1に記載の方法。
【請求項３】
第1のUEにより、S個のリソースからN個の利用可能なリソースを決定する前記ステップの前に、前記方法が、
前記第1のUEにより、前記リソース構成情報を取得するステップであって、前記リソース構成情報が前記S個のリソースについての情報を備え、前記リソース構成情報が基地局によって構成されるか、または事前構成される、ステップ
をさらに備える、請求項1に記載の方法。
【請求項４】
第1のUEにより、S個のリソースからN個の利用可能なリソースを決定する前記ステップが、
前記第1のUEにより、前記S個のリソースの各々で搬送される信号のエネルギーもしくは電力を検出し、前記リソース上で搬送される前記信号の前記エネルギーがしきい値mよりも小さいか、もしくは前記リソース上で搬送される前記信号の前記電力がしきい値nよりも小さい場合、前記リソースが前記利用可能なリソースであると判断するステップであって、mおよびnが正の数である、ステップ、または
前記第1のUEにより、前記S個のリソースの各々で搬送されるシーケンスを検出し、前記リソースが事前設定シーケンスを搬送しない場合、前記リソースが前記利用可能なリソースであると判断するステップ
を備える、請求項1に記載の方法。
【請求項５】
第1のUEにより、S個のリソースからN個の利用可能なリソースを決定する前記ステップの後に、前記方法が、
前記第1のUEにより、事前設定継続時間Tの間隔をおいて、前記N個の利用可能なリソースに応じて前記M個のリソースを決定するステップ、または
前記第1のUEにより、事前設定継続時間Tの間隔をおいて、前記S個のリソースからN個の利用可能なリソースを再決定し、前記N個の利用可能なリソースに応じて前記M個のリソースを決定するステップ
をさらに備え、
Tが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定される、
請求項1に記載の方法。
【請求項６】
第1のUEにより、S個のリソースからN個の利用可能なリソースを決定する前記ステップの後に、前記方法が、
前記第1のUEが第1の事前設定条件を満たすかどうかを判定するステップと、
前記第1のUEが前記第1の事前設定条件を満たす場合、前記第1のUEにより、前記N個の利用可能なリソースに応じて前記M個のリソースを決定するステップ、または
前記第1のUEが前記第1の事前設定条件を満たさない場合、事前設定継続時間Tの間隔をおいて、前記第1のUEにより、前記N個の利用可能なリソースに応じて前記M個のリソースを決定するか、もしくは前記S個のリソースからN個の利用可能なリソースを再決定し、前記N個の利用可能なリソースに応じて前記M個のリソースを決定するステップと
をさらに備え、
Tが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定され、前記第1の事前設定条件が、N≧a、N／S≧b、Q≧Q0、前記第1のUEの前記衝突回数cがC0よりも大きいこと、前記第1のUEの前記衝突時間wがW0よりも大きいこと、または、前記第1のUEの前記サービス優先度Qもしくは前記UEの前記優先度がQ0よりも大きいことであり、aがリソースのしきい値であり、bが事前設定リソースに対する前記利用可能なリソースの最小割合であり、C0が前記衝突回数のしきい値であり、W0が衝突時間のしきい値であり、Q0が優先度のしきい値であり、cが0以上の整数であり、wが正の数である、
請求項1に記載の方法。
【請求項７】
前記第1のUEにより、事前設定継続時間Tの間隔をおいて、前記N個の利用可能なリソースに応じて前記M個のリソースを決定する前記ステップが、
前記第1のUEにより、前記N個の利用可能なリソースから前記M個のリソースをランダムに選択するステップ、または
前記第1のUEにより、前記N個の利用可能なリソースに応じてL個のリソースを取得し、前記第1のUEにより、前記L個の利用可能なリソースから前記M個のリソースをランダムに選択するステップであって、LがN以下の整数である、ステップ
を備える、請求項5または6に記載の方法。
【請求項８】
前記第1のUEにより、前記N個の利用可能なリソースに応じてL個のリソースを取得する前記ステップが、具体的に、
前記第1のUEにより、事前設定された規則を使用することにより、前記N個の利用可能なリソース上で動作を実施した後に前記L個のリソースを取得するステップ
を備える、請求項7に記載の方法。
【請求項９】
前記少なくとも1つのUEに前記第1のUEによって送信される前記データが、元のデータが廃棄された後に取得された新しいデータであるか、または前記元のデータである、請求項5または6に記載の方法。
【請求項１０】
Tが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定されることが、具体的に、
前記第1のUEの前記衝突回数cが前記しきい値C0よりも大きいか、前記第1のUEの前記衝突時間wが前記しきい値W0よりも大きいか、または、前記第1のUEの前記サービス優先度Qもしくは前記UEの前記優先度が前記しきい値Q0よりも高い場合、前記事前設定継続時間Tが0に等しいこと、さもなければ
前記事前設定継続時間TがT＝f（x）であり、xがN、N−S、N／S、前記第1のUEの前記サービス優先度Q、前記UEの前記優先度、前記第1のUEによってカスタマイズされた値、c、w、またはcおよびwの関数g（c，w）のうちの1つであり、xの様々な値がf（x）によって表される様々な関数に対応すること
を備える、請求項5または6に記載の方法。
【請求項１１】
前記第1のUEにより、前記M個のリソースを使用することにより、少なくとも1つの第2のUEにデータを送信する前記ステップが、
前記第1のUEにより、送信確率Pを決定し、前記送信確率Pに従って前記M個のリソース上で前記少なくとも1つの第2のUEに前記データを送信するステップ
を備え、
前記送信確率Pが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定され、cが0以上の整数であり、wが正の数である、
請求項1に記載の方法。
【請求項１２】
前記第1のUEにより、前記M個のリソースを使用することにより、少なくとも1つの第2のUEにデータを送信する前記ステップが、
前記第1のUEが第2の事前設定条件を満たすかどうかを判定するステップと、
前記第1のUEが前記第2の事前設定条件を満たす場合、前記第1のUEにより、前記M個のリソース上で前記少なくとも1つの第2のUEに前記データを送信するステップ、または
前記第1のUEが前記第2の事前設定条件を満たさない場合、前記第1のUEにより、送信確率Pを決定し、前記送信確率Pに従って前記M個のリソース上で前記少なくとも1つの第2のUEに前記データを送信するステップと
を備え、
Pが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定され、前記第2の事前設定条件が、N≧a、N／S≧b、Q≧Q0、前記第1のUEの前記衝突回数cがC0よりも大きいこと、前記第1のUEの前記衝突時間wがW0よりも大きいこと、または、前記第1のUEの前記サービス優先度Qもしくは前記UEの前記優先度がQ0よりも大きいことであり、aがリソースのしきい値であり、bが事前設定リソースに対する前記利用可能なリソースの最小割合であり、C0が前記衝突回数のしきい値であり、W0が衝突時間のしきい値であり、Q0が優先度のしきい値であり、cが0以上の整数であり、wが正の数である、
請求項1に記載の方法。
【請求項１３】
Pが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定されることが、具体的に、
前記第1のUEの前記衝突回数cが前記しきい値C0よりも大きいか、前記第1のUEの前記衝突時間wが前記しきい値W0よりも大きいか、または、前記第1のUEの前記サービス優先度Qもしくは前記UEの前記優先度が前記しきい値Q0よりも高い場合、前記送信確率Pが1に等しいこと、さもなければ
前記送信確率PがP＝f（x）であり、xがN、N−S、N／S、前記第1のUEの前記サービス優先度Q、前記UEの前記優先度、前記第1のUEによってカスタマイズされた値、c、w、またはcおよびwの関数g（c，w）のうちの1つであり、xの様々な値がf（x）によって表される様々な関数に対応すること
を備える、請求項11または12に記載の方法。
【請求項１４】
Sが第1のグループ内のUEの数に対応し、Nが、前記第1のグループ内にあり、データを送信するUEの数に対応するか、または
Sが前記第1のUEの隣接UEの数に対応し、Nが、前記第1のUEの前記隣接UEの中にあり、データを送信するUEの数に対応し、前記第1のUEの前記隣接UEが、前記第1のUEと直接通信することができるUEである、
請求項1に記載の方法。
【請求項１５】
前記リソースが、スケジューリング割当てSAリソース、サービスデータリソース、または発見リソースのうちの少なくとも1つであり、前記少なくとも1つの第2のUEに送信される前記データが、SA、サービスデータ、または発見信号のうちの少なくとも1つである、
請求項1から14のいずれか一項に記載の方法。
【請求項１６】
前記リソースが、SAリソースプール内のリソース、サービスデータリソースプール内のリソース、もしくは発見リソースプール内のリソースのうちの少なくとも1つであるか、またはある時間期間内に、SA、サービスデータ、もしくは発見信号のうちの少なくとも1つを送信することに利用可能なリソースである、
請求項1から14のいずれか一項に記載の方法。
【請求項１７】
リソース衝突低減方法であって、
第1のユーザ機器UEにより、事前設定パラメータを取得するステップと、
前記第1のUEにより、S個のリソースのうちのZ個のリソースを使用することにより、前記事前設定パラメータに従って少なくとも1つの第2のUEにデータを送信するステップであって、Sが前記第1のUEによって取得されたリソース構成情報によって示されるリソース数である、ステップと
を備え、
前記事前設定パラメータが、前記第1のUEの衝突回数c、前記第1のUEの衝突時間w、前記第1のUEのサービス優先度Q、または前記第1のUEの優先度のうちの少なくとも1つであり、Sが1以上の整数であり、ZがS以下の整数であり、cが0以上の整数であり、wが正の数である、
方法。
【請求項１８】
前記第1のUEにより、S個のリソースのうちのZ個のリソースを使用することにより、前記事前設定パラメータに従って少なくとも1つの第2のUEにデータを送信する前記ステップの前に、前記方法が、
前記第1のUEにより、前記リソース構成情報を取得するステップであって、前記リソース構成情報が前記S個のリソースについての情報を備え、前記リソース構成情報が基地局によって構成されるか、または事前構成される、ステップ
をさらに備える、請求項17に記載の方法。
【請求項１９】
前記第1のUEにより、S個のリソースのうちのZ個のリソースを使用することにより、前記事前設定パラメータに従って少なくとも1つの第2のUEにデータを送信する前記ステップが、
前記第1のUEにより、前記事前設定パラメータに従って事前設定継続時間Tを決定するステップと、
前記第1のUEにより、前記事前設定継続時間Tの間隔をおいて、前記S個のリソースから前記Z個のリソースをランダムに決定するステップと、
前記Z個のリソース上で前記少なくとも1つの第2のUEに前記データを送信するステップと
を備える、請求項17に記載の方法。
【請求項２０】
前記第1のUEにより、S個のリソースのうちのZ個のリソースを使用することにより、前記事前設定パラメータに従って少なくとも1つの第2のUEにデータを送信する前記ステップが、
前記第1のUEの前記衝突回数cがしきい値C0よりも小さいかどうか、前記第1のUEの前記衝突時間wがしきい値W0よりも小さいかどうか、または、前記第1のUEの前記サービス優先度Qもしくは前記UEの前記優先度がしきい値Q0よりも低いかどうかを判定するステップと、
前記第1のUEの前記衝突回数cが前記しきい値C0よりも小さいか、前記第1のUEの前記衝突時間wが前記しきい値W0よりも小さいか、または、前記第1のUEの前記サービス優先度Qもしくは前記UEの前記優先度が前記しきい値Q0よりも低い場合、前記事前設定パラメータに従って事前設定継続時間Tを決定し、前記事前設定継続時間Tの間隔で前記S個のリソースから前記Z個のリソースをランダムに決定し、前記Z個のリソース上で前記少なくとも1つの第2のUEに前記データを送信するステップ、あるいは
前記第1のUEの前記衝突回数cが前記しきい値C0よりも小さくないか、前記第1のUEの前記衝突時間wが前記しきい値W0よりも小さくないか、または、前記第1のUEの前記サービス優先度Qもしくは前記UEの前記優先度が前記しきい値Q0よりも低くない場合、前記Z個のリソース上で前記少なくとも1つの第2のUEに前記データを送信するステップと
を備える、請求項17に記載の方法。
【請求項２１】
前記Z個のリソース上で前記少なくとも1つの第2のUEに前記第1のUEによって送信される前記データが、元のデータが廃棄された後に取得された新しいデータであるか、または前記元のデータである、請求項19または20に記載の方法。
【請求項２２】
前記事前設定パラメータに従って事前設定継続時間Tを決定する前記ステップが、
前記第1のUEの前記衝突回数cが前記しきい値C0よりも大きいか、または前記第1のUEの前記衝突時間wが前記しきい値W0よりも大きいとき、前記事前設定継続時間Tが0であると決定するステップ、さもなければ
前記事前設定継続時間TがT＝f（x）であると決定するステップであって、xがN、N−S、N／S、前記第1のUEの前記サービス優先度Q、前記第1のUEによってカスタマイズされた値、c、w、またはcおよびwの関数g（c，w）のうちの1つであり、xの様々な値がf（x）によって表される様々な関数に対応する、ステップ
を備える、請求項19から21のいずれか一項に記載の方法。
【請求項２３】
前記第1のUEにより、S個のリソースのうちのZ個のリソースを使用することにより、前記事前設定パラメータに従って少なくとも1つの第2のUEにデータを送信する前記ステップが、
前記第1のUEにより、前記S個のリソースから前記Z個のリソースをランダムに決定するステップと、
前記第1のUEにより、前記事前設定パラメータに従って送信確率Pを決定し、前記送信確率Pに従って前記Z個のリソース上で前記少なくとも1つの第2のUEに前記データを送信するステップと
を備える、請求項17に記載の方法。
【請求項２４】
前記第1のUEにより、S個のリソースのうちのZ個のリソースを使用することにより、前記事前設定パラメータに従って少なくとも1つの第2のUEにデータを送信する前記ステップが、
前記第1のUEにより、前記S個のリソースから前記Z個のリソースをランダムに決定するステップと、
前記第1のUEの前記衝突回数cがしきい値C0よりも小さいかどうか、前記第1のUEの前記衝突時間wがしきい値W0よりも小さいかどうか、または、前記第1のUEの前記サービス優先度Qもしくは前記UEの前記優先度がしきい値Q0よりも低いかどうかを判定するステップと、
前記第1のUEの前記衝突回数cが前記しきい値C0よりも小さいか、前記第1のUEの前記衝突時間wが前記しきい値W0よりも小さいか、または、前記第1のUEの前記サービス優先度Qもしくは前記UEの前記優先度が前記しきい値Q0よりも低い場合、前記事前設定パラメータに従って送信確率Pを決定し、前記送信確率Pに従って前記Z個のリソース上で前記少なくとも1つの第2のUEに前記データを送信するステップ、あるいは
前記第1のUEの前記衝突回数cが前記しきい値C0よりも小さくないか、前記第1のUEの前記衝突時間wが前記しきい値W0よりも小さくないか、または、前記第1のUEの前記サービス優先度Qもしくは前記UEの前記優先度が前記しきい値Q0よりも低くない場合、前記Z個のリソース上で前記少なくとも1つの第2のUEに前記データを送信するステップと
を備える、請求項17に記載の方法。
【請求項２５】
前記事前設定パラメータに従って送信確率Pを決定する前記ステップが、
前記第1のUEの前記衝突回数cが前記しきい値C0よりも大きいか、または前記第1のUEの前記衝突時間wが前記しきい値W0よりも大きいとき、前記送信確率Pが1であると決定するステップ、さもなければ
前記送信確率PがP＝f（x）であると決定するステップであって、xがN、N−S、N／S、前記第1のUEの前記サービス優先度Q、前記第1のUEによってカスタマイズされた値、c、w、またはcおよびwの関数g（c，w）のうちの1つであり、xの様々な値がf（x）によって表される様々な関数に対応する、ステップ
を備える、請求項23または24に記載の方法。
【請求項２６】
ユーザ機器UEであって、
S個のリソースからN個の利用可能なリソースを決定するように構成された決定ユニットであって、Sが前記第1のUEによって取得されたリソース構成情報によって示されるリソース数であり、
前記N個の利用可能なリソースに応じてM個のリソースを決定するようにさらに構成される、
決定ユニットと、
前記M個のリソースを使用することにより、少なくとも1つの第2のUEにデータを送信するように構成された送信ユニットと
を備え、
Sが1以上の整数であり、Nが0以上S以下の整数であり、Mが0以上N以下の整数である、
UE。
【請求項２７】
前記決定ユニットが、具体的に、前記N個の利用可能なリソースから前記M個のリソースをランダムに選択するように構成される、請求項26に記載のUE。
【請求項２８】
取得ユニットをさらに備え、
前記取得ユニットが、前記リソース構成情報を取得するように構成され、前記リソース構成情報が前記S個のリソースについての情報を備え、前記リソース構成情報が基地局によって構成されるか、または事前構成される、
請求項26に記載のUE。
【請求項２９】
前記決定ユニットが、具体的に、前記S個のリソースの各々で搬送される信号のエネルギーもしくは電力を検出し、前記リソース上で搬送される前記信号の前記エネルギーがしきい値mよりも小さいか、もしくは前記リソース上で搬送される前記信号の前記電力がしきい値nよりも小さい場合、前記リソースが前記利用可能なリソースであると判断することであって、mおよびnが正の数である、判断すること、または
前記S個のリソースの各々で搬送されるシーケンスを検出し、前記リソースが事前設定シーケンスを搬送しない場合、前記リソースが前記利用可能なリソースであると判断すること
を行うように構成される、請求項26に記載のUE。
【請求項３０】
前記決定ユニットが、具体的に、前記S個のリソースから前記N個の利用可能なリソースを決定することの後に、事前設定継続時間Tの間隔をおいて、前記N個の利用可能なリソースに応じて前記M個のリソースを決定すること、または
前記第1のUEにより、事前設定継続時間Tの間隔をおいて、前記S個のリソースからN個の利用可能なリソースを再決定すること
を行うように構成され、
Tが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定され、cが0以上の整数であり、wが正の数である、
請求項26に記載のUE。
【請求項３１】
前記決定ユニットが、具体的に、前記S個のリソースから前記N個の利用可能なリソースを決定することの後に、前記第1のUEが第1の事前設定条件を満たすかどうかを判定することと、
前記第1のUEが前記第1の事前設定条件を満たす場合、前記N個の第1の時間周波数リソースに応じて前記M個のリソースを決定すること、または
前記第1のUEが前記第1の事前設定条件を満たさない場合、事前設定継続時間Tの間隔をおいて、前記N個の利用可能なリソースに応じて前記M個のリソースを決定するか、もしくは前記S個のリソースからN個の利用可能なリソースを再決定し、前記N個の利用可能なリソースに応じて前記M個のリソースを決定することと
を行うように構成され、
Tが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定され、前記第1の事前設定条件が、N≧a、N／S≧b、Q≧Q0、前記第1のUEの前記衝突回数cがC0よりも大きいこと、前記第1のUEの前記衝突時間wがW0よりも大きいこと、または、前記第1のUEの前記サービス優先度Qもしくは前記UEの前記優先度がQ0よりも大きいことであり、aがリソースのしきい値であり、bが事前設定リソースに対する前記利用可能なリソースの最小割合であり、C0が前記衝突回数のしきい値であり、W0が衝突時間のしきい値であり、Q0が優先度のしきい値であり、cが0以上の整数であり、wが正の数である、
請求項26に記載のUE。
【請求項３２】
前記決定ユニット、事前設定継続時間Tの間隔をおいて、前記N個の利用可能なリソースに応じて前記M個のリソースを決定することが、前記N個の利用可能なリソースから前記M個のリソースをランダムに選択すること、または
前記N個の利用可能なリソースに応じてL個のリソースを取得し、前記第1のUEにより、前記L個の利用可能なリソースから前記M個のリソースをランダムに選択することであって、LがM以下の整数である、選択すること
を備える、請求項30または31に記載のUE。
【請求項３３】
前記決定ユニットが、前記N個の利用可能なリソースに応じてL個のリソースを取得することが、具体的に、事前設定された規則を使用することにより、前記N個の利用可能なリソース上で動作を実施した後に前記L個のリソースを取得することを備える、請求項32に記載のUE。
【請求項３４】
前記少なくとも1つのUEに前記送信ユニットによって送信される前記データが、元のデータが廃棄された後に取得された新しいデータであるか、または前記元のデータである、請求項30または31に記載のUE。
【請求項３５】
Tが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定されることが、具体的に、
前記第1のUEの前記衝突回数cが前記しきい値C0よりも大きいか、前記第1のUEの前記衝突時間wが前記しきい値W0よりも大きいか、または、前記第1のUEの前記サービス優先度Qもしくは前記UEの前記優先度が前記しきい値Q0よりも高い場合、前記事前設定継続時間Tが0に等しく、さもなければ前記事前設定継続時間TがT＝f（x）であることを備え、
xがN、N−S、N／S、前記第1のUEの前記サービス優先度Q、前記UEの前記優先度、前記第1のUEによってカスタマイズされた値、c、w、またはcおよびwの関数g（c，w）のうちの1つであり、xの様々な値がf（x）によって表される様々な関数に対応する、
請求項30または31に記載のUE。
【請求項３６】
前記決定ユニットが、送信確率Pを決定するようにさらに構成され、
前記送信ユニットが、具体的に、前記送信確率Pに従って前記M個のリソース上で前記少なくとも1つの第2のUEに前記データを送信するように構成され、前記送信確率Pが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定され、cが0以上の整数であり、wが正の数である、
請求項26に記載のUE。
【請求項３７】
判定ユニットをさらに備え、
前記判定ユニットが、前記第1のUEが第2の事前設定条件を満たすかどうかを判定するように構成され、
前記判定ユニットが、前記第1のUEが前記第2の事前設定条件を満たすと判定した場合、前記送信ユニットが、前記M個のリソース上で前記少なくとも1つの第2のUEに前記データを送信し、または
前記判定ユニットが、前記第1のUEが前記第2の事前設定条件を満たさないと判定した場合、前記決定ユニットが送信確率Pを決定し、前記送信ユニットが、前記送信確率Pに従って前記M個のリソース上で前記少なくとも1つの第2のUEに前記データを送信し、
Pが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定され、前記第2の事前設定条件が、N≧a、N／S≧b、Q≧Q0、前記第1のUEの前記衝突回数cがC0よりも大きいこと、前記第1のUEの前記衝突時間wがW0よりも大きいこと、または、前記第1のUEの前記サービス優先度Qもしくは前記UEの前記優先度がQ0よりも大きいことであり、aがリソースのしきい値であり、bが事前設定リソースに対する前記利用可能なリソースの最小割合であり、C0が前記衝突回数のしきい値であり、W0が衝突時間のしきい値であり、Q0が優先度のしきい値であり、cが0以上の整数であり、wが正の数である、
請求項26に記載のUE。
【請求項３８】
Pが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定されることが、具体的に、
前記第1のUEの前記衝突回数cが前記しきい値C0よりも大きいか、前記第1のUEの前記衝突時間wが前記しきい値W0よりも大きいか、または、前記第1のUEの前記サービス優先度Qもしくは前記UEの前記優先度が前記しきい値Q0よりも高い場合、前記送信確率Pが1に等しく、さもなければ前記送信確率PがP＝f（x）であることを備え、
xがN、N−S、N／S、前記第1のUEの前記サービス優先度Q、前記UEの前記優先度、前記第1のUEによってカスタマイズされた値、c、w、またはcおよびwの関数g（c，w）のうちの1つであり、xの様々な値がf（x）によって表される様々な関数に対応する、
請求項36または37に記載のUE。
【請求項３９】
Sが前記第1のUEに対応する第1のグループ内のUEの数に対応し、Nが、前記第1のグループ内にあり、データを送信するUEの数に対応するか、または
Sが前記第1のUEの隣接UEの数に対応し、Nが、前記第1のUEの前記隣接UEの中にあり、データを送信するUEの数に対応し、前記第1のUEの前記隣接UEが、前記第1のUEと直接通信することができるUEである、
請求項26に記載のUE。
【請求項４０】
前記リソースが、スケジューリング割当てSAリソース、サービスデータリソース、または発見リソースのうちの少なくとも1つであり、前記少なくとも1つの第2のUEに送信される前記データが、SA、サービスデータ、または発見信号のうちの少なくとも1つである、請求項26から39のいずれか一項に記載のUE。
【請求項４１】
前記リソースが、SAリソースプール内のリソース、サービスデータリソースプール内のリソース、もしくは発見リソースプール内のリソースのうちの少なくとも1つであるか、またはある時間期間内に、SA、サービスデータ、もしくは発見信号のうちの少なくとも1つを送信することに利用可能なリソースである、請求項26から39のいずれか一項に記載のUE。
【請求項４２】
ユーザ機器UEであって、
事前設定パラメータを取得するように構成された取得ユニットと、
S個のリソースのうちのZ個のリソースを使用することにより、前記事前設定パラメータに従って少なくとも1つの第2のUEにデータを送信するように構成された送信ユニットであって、Sが前記第1のUEによって取得されたリソース構成情報によって示されるリソース数である、送信ユニットと
を備え、
前記事前設定パラメータが、前記第1のUEの衝突回数c、前記第1のUEの衝突時間w、前記第1のUEのサービス優先度Q、または前記UEの優先度のうちの少なくとも1つであり、Sが1以上の整数であり、ZがS以下の整数であり、cが0以上の整数であり、wが正の数である、
ユーザ機器UE。
【請求項４３】
取得ユニットをさらに備え、
前記取得ユニットが、前記リソース構成情報を取得するように構成され、前記リソース構成情報が前記S個のリソースについての情報を備え、前記リソース構成情報が基地局によって構成されるか、または事前構成される、
請求項42に記載のUE。
【請求項４４】
決定ユニットをさらに備え、
前記決定ユニットが、前記事前設定パラメータに従って事前設定継続時間Tを決定し、前記事前設定継続時間Tの間隔をおいて、前記S個のリソースから前記Z個のリソースをランダムに決定するように構成され、
前記送信ユニットが、前記Z個のリソース上で前記少なくとも1つの第2のUEに前記データを送信するように構成される、
請求項42に記載のUE。
【請求項４５】
判定ユニットをさらに備え、
前記判定ユニットが、前記第1のUEの前記衝突回数cがしきい値C0よりも小さいかどうか、前記第1のUEの前記衝突時間wがしきい値W0よりも小さいかどうか、または、前記第1のUEの前記サービス優先度Qもしくは前記UEの前記優先度がしきい値Q0よりも低いかどうかを判定するように構成され、
決定ユニットが、前記第1のUEの前記衝突回数cが前記しきい値C0よりも小さいか、前記第1のUEの前記衝突時間wが前記しきい値W0よりも小さいか、または、前記第1のUEの前記サービス優先度Qもしくは前記UEの前記優先度が前記しきい値Q0よりも低い場合、前記事前設定パラメータに従って事前設定継続時間Tを決定し、前記事前設定継続時間Tの間隔で前記S個のリソースから前記Z個のリソースをランダムに決定するように構成され、
前記送信ユニットが、前記Z個のリソース上で前記少なくとも1つの第2のUEに前記データを送信するように構成され、あるいは
前記第1のUEの前記衝突回数cが前記しきい値C0よりも小さくないか、前記第1のUEの前記衝突時間wが前記しきい値W0よりも小さくないか、または、前記第1のUEの前記サービス優先度Qもしくは前記UEの前記優先度が前記しきい値Q0よりも低くない場合、前記送信ユニットが、前記Z個のリソース上で前記少なくとも1つの第2のUEに前記データを送信するように構成される、
請求項42に記載のUE。
【請求項４６】
前記Z個のリソース上で前記少なくとも1つの第2のUEに前記第1のUEによって送信される前記データが、元のデータが廃棄された後に取得された新しいデータであるか、または前記元のデータである、請求項44または45に記載のUE。
【請求項４７】
前記事前設定パラメータに従って事前設定継続時間Tを前記決定することが、
前記第1のUEの前記衝突回数cが前記しきい値C0よりも大きいか、または前記第1のUEの前記衝突時間wが前記しきい値W0よりも大きいとき、前記事前設定継続時間Tが0であると決定すること、さもなければ
前記事前設定継続時間TがT＝f（x）であると決定することであって、xがN、N−S、N／S、前記第1のUEの前記サービス優先度Q、前記第1のUEによってカスタマイズされた値、c、w、またはcおよびwの関数g（c，w）のうちの1つであり、xの様々な値がf（x）によって表される様々な関数に対応する、決定すること
を備える、請求項44から46のいずれか一項に記載のUE。
【請求項４８】
決定ユニットが、前記事前設定パラメータに従って送信確率Pを決定するように構成され、
前記送信ユニットが、前記送信確率Pに従って前記Z個のリソース上で前記少なくとも1つの第2のUEに前記データを送信するように構成される、
請求項42に記載のUE。
【請求項４９】
前記決定ユニットが、前記S個のリソースから前記Z個のリソースをランダムに決定するように構成され、
判定ユニットが、前記第1のUEの前記衝突回数cがしきい値C0よりも小さいかどうか、前記第1のUEの前記衝突時間wがしきい値W0よりも小さいかどうか、または、前記第1のUEの前記サービス優先度Qもしくは前記UEの前記優先度がしきい値Q0よりも低いかどうかを判定するように構成され、
前記決定ユニットが、前記第1のUEの前記衝突回数cが前記しきい値C0よりも小さいか、前記第1のUEの前記衝突時間wが前記しきい値W0よりも小さいか、または、前記第1のUEの前記サービス優先度Qもしくは前記UEの前記優先度が前記しきい値Q0よりも低い場合、前記事前設定パラメータに従って送信確率Pを決定するように構成され、
前記送信ユニットが、前記送信確率Pに従って前記Z個のリソース上で前記少なくとも1つの第2のUEに前記データを送信するように構成され、あるいは
前記送信ユニットが、前記第1のUEの前記衝突回数cが前記しきい値C0よりも小さくないか、前記第1のUEの前記衝突時間wが前記しきい値W0よりも小さくないか、または、前記第1のUEの前記サービス優先度Qもしくは前記UEの前記優先度が前記しきい値Q0よりも低くない場合、前記Z個のリソース上で前記少なくとも1つの第2のUEに前記データを送信するように構成される、
請求項42に記載のUE。
【請求項５０】
前記事前設定パラメータに従って送信確率Pを前記決定することが、
前記第1のUEの前記衝突回数cが前記しきい値C0よりも大きいか、または前記第1のUEの前記衝突時間wが前記しきい値W0よりも大きいとき、前記送信確率Pが1であると決定すること、さもなければ
前記送信確率PがP＝f（x）であると決定することであって、xがN、N−S、N／S、前記第1のUEの前記サービス優先度Q、前記第1のUEによってカスタマイズされた値、c、w、またはcおよびwの関数g（c，w）のうちの1つであり、xの様々な値がf（x）によって表される様々な関数に対応する、決定すること
を備える、請求項48または49に記載のUE。
【発明の詳細な説明】
【技術分野】
【０００１】
本発明は、通信分野に関し、詳細には、リソース衝突低減方法およびUE（User Equipment、ユーザ機器）に関する。
【背景技術】
【０００２】
ワイヤレス通信の急速な発展に伴い、超高速サービス、たとえば、高精細ビデオが生まれている。超高速サービスは、ワイヤレス通信ネットワークの負荷をますます重くする。ネットワーク負荷をどのように低減するかは研究のホットスポットである。デバイス間（Device to Device、D2D）技術が浮上している。そのようなデバイス直接接続通信モードでは、直接通信は端末間で実施される場合があり、転送のために基地局が必要とされず、それにより、基地局のデータ負荷が低減される。D2D通信では、スペクトルリソースをより良く利用することができ、スペクトル利用率およびデータレートを上げることができ、基地局の負荷を低減することができる。
【０００３】
D2D技術では、基地局が比較的強い耐干渉性を有することを考慮して、LTE−A（Long Term Evolution−Advanced、ロングタームエボリューションアドバンスト）システムのアップリンクスペクトルリソースが多重化される。現在、D2Dデバイス通信には2つのリソース割振りモードが存在する。一方は基地局のスケジューリングに基づく方式であり、他方は競合ベース方式であり、すなわち、データまたはシグナリングを送信する必要があるUEは、競合方式でリソースプールから、データまたはシグナリングを送信するための時間周波数リソースを取得する。
【０００４】
競合方式に基づく既存のリソース割振り機構では、UEはリソースプール（すなわち、基地局によって構成されるか、または事前構成され、D2Dに使用されるリソース）からいくつかのリソースをランダムに選択し、次いで、基地局によって構成されるか、または事前構成された確率Pに基づいて、ランダムに選択されたリソース上で発見信号を送信する。たとえば、UE1は、リソースプールから2つのPRB（Physical Resource Block、物理リソースブロック）をランダムに選択し、基地局によって事前構成された確率Pは0．5である。この場合、UE1は、50％の確率に従って2つのPRB上で発見信号を送信する。統計的確率の観点から、発見信号は、実際に2回の送信機会ごとに1回送信される。
【０００５】
データ（またはシグナリング）は、基地局によって事前構成された確率に基づいて送信される。最終的に選択されるリソースがまだ占有されており、衝突がさらに発生する可能性が高い。その結果、送信UE（すなわち、データを送信する必要があるUE）がリソースを先取りするためにD2D技術において発生する衝突は、効果的に低減することができない。
【発明の概要】
【課題を解決するための手段】
【０００６】
本発明の実施形態は、送信UEがリソースを先取りするためにD2D技術において発生する衝突を効果的に低減するために、リソース衝突低減方法およびUEを提供する。
【０００７】
前述の目的を達成するために、本発明の実施形態において以下の技術的解決策が使用される。
【０００８】
第1の態様によれば、
第1のUEにより、S個のリソースからN個の利用可能なリソースを決定することであって、Sが第1のUEによって取得されたリソース構成情報によって示されるリソース数である、決定することと、
第1のUEにより、N個の利用可能なリソースに応じてM個のリソースを決定することと、
第1のUEにより、M個のリソースを使用することにより、少なくとも1つの第2のUEにデータを送信することと
を含み、
Sが1以上の整数であり、Nが0以上S以下の整数であり、Mが0以上N以下の整数である、
リソース衝突低減方法が開示される。
【０００９】
第1の態様を参照して、第1の態様の第1の可能な実装方式では、
第1のUEにより、N個の利用可能なリソースに応じてM個のリソースを決定することは、
第1のUEにより、N個の利用可能なリソースからM個のリソースをランダムに選択すること
を含む。
【００１０】
第1の態様を参照して、第1の態様の第2の可能な実装方式では、
第1のUEにより、S個のリソースからN個の利用可能なリソースを決定することの前に、方法は、
第1のUEにより、リソース構成情報を取得することであって、リソース構成情報がS個のリソースについての情報を含み、リソース構成情報が基地局によって構成されるか、または事前構成される、取得すること
をさらに含む。
【００１１】
第1の態様を参照して、第1の態様の第3の可能な実装方式では、
第1のUEにより、S個のリソースからN個の利用可能なリソースを決定することは、
第1のUEにより、S個のリソースの各々で搬送される信号のエネルギーもしくは電力を検出し、リソース上で搬送される信号のエネルギーがしきい値mよりも小さいか、もしくはリソース上で搬送される信号の電力がしきい値nよりも小さい場合、リソースが利用可能なリソースであると判断することであって、mおよびnが正の数である、判断すること、または
第1のUEにより、S個のリソースの各々で搬送されるシーケンスを検出し、リソースが事前設定シーケンスを搬送しない場合、リソースが利用可能なリソースであると判断すること
を含む。
【００１２】
第1の態様を参照して、第1の態様の第4の可能な実装方式では、
第1のUEにより、S個のリソースからN個の利用可能なリソースを決定することの後に、方法は、
第1のUEにより、事前設定継続時間Tの間隔をおいて、N個の利用可能なリソースに応じてM個のリソースを決定すること、または
第1のUEにより、事前設定継続時間Tの間隔をおいて、S個のリソースからN個の利用可能なリソースを再決定すること
をさらに含み、
Tは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定され、cは0以上の整数であり、wは正の数である。
【００１３】
第1の態様を参照して、第1の態様の第5の可能な実装方式では、
第1のUEにより、S個のリソースからN個の利用可能なリソースを決定することの後に、方法は、
第1のUEが第1の事前設定条件を満たすかどうかを判定することと、
第1のUEが第1の事前設定条件を満たす場合、第1のUEにより、N個の利用可能なリソースに応じてM個のリソースを決定すること、または
第1のUEが第1の事前設定条件を満たさない場合、事前設定継続時間Tの間隔をおいて、第1のUEにより、N個の利用可能なリソースに応じてM個のリソースを決定するか、もしくはS個のリソースからN個の利用可能なリソースを再決定し、N個の利用可能なリソースに応じてM個のリソースを決定することと
をさらに含み、
Tは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定され、第1の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも大きいことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。
【００１４】
第1の態様の第4または第5の可能な実装方式を参照して、第1の態様の第6の可能な実装方式では、
第1のUEにより、事前設定継続時間Tの間隔をおいて、N個の利用可能なリソースに応じてM個のリソースを決定することは、
第1のUEにより、N個の利用可能なリソースからM個のリソースをランダムに選択すること、または
第1のUEにより、N個の利用可能なリソースに応じてL個のリソースを取得し、第1のUEにより、L個の利用可能なリソースからM個のリソースをランダムに選択すること
を含む。
【００１５】
第1の態様の第6の可能な実装方式を参照して、第1の態様の第7の可能な実装方式では、
第1のUEにより、N個の利用可能なリソースに応じてL個のリソースを取得することは、
第1のUEにより、事前設定された規則を使用することにより、N個の利用可能なリソース上で動作を実施した後にL個のリソースを取得すること
を含む。
【００１６】
第1の態様の第4または第5の可能な実装方式を参照して、第1の態様の第8の可能な実装方式では、
少なくとも1つのUEに第1のUEによって送信されるデータは、元のデータが廃棄された後に取得された新しいデータであるか、または元のデータである。
【００１７】
第1の態様の第4または第5の可能な実装方式を参照して、第1の態様の第9の可能な実装方式では、
Tが、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定されることは、具体的に、
第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも高い場合、事前設定継続時間Tは0に等しく、さもなければ事前設定継続時間TはT＝f（x）であること
を含み、
xはN、N−S、N／S、第1のUEのサービス優先度Q、UEの優先度、第1のUEによってカスタマイズされた値、c、w、またはcおよびwの関数g（c，w）のうちの1つであり、xの様々な値はf（x）によって表される様々な関数に対応する。
【００１８】
第1の態様を参照して、第1の態様の第10の可能な実装方式では、
第1のUEにより、M個のリソースを使用することにより、少なくとも1つの第2のUEにデータを送信することは、
第1のUEにより、送信確率Pを決定し、送信確率Pに従ってM個のリソース上で少なくとも1つの第2のUEにデータを送信すること
を含み、
送信確率Pは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定される。
【００１９】
第1の態様を参照して、第1の態様の第11の可能な実装方式では、
第1のUEにより、M個のリソースを使用することにより、少なくとも1つの第2のUEにデータを送信することは、
第1のUEが第2の事前設定条件を満たすかどうかを判定することと、
第1のUEが第2の事前設定条件を満たす場合、第1のUEにより、M個のリソース上で少なくとも1つの第2のUEにデータを送信すること、または
第1のUEが第2の事前設定条件を満たさない場合、第1のUEにより、送信確率Pを決定し、送信確率Pに従ってM個のリソース上で少なくとも1つの第2のUEにデータを送信することと
を含み、
Pは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定され、第2の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも大きいことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。
【００２０】
第1の態様を参照して、第1の態様の第12の可能な実装方式では、
Pが、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定されることは、具体的に、
第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも高い場合、送信確率Pは1に等しく、さもなければ送信確率PはP＝f（x）であること
を含み、
xはN、N−S、N／S、第1のUEのサービス優先度Q、UEの優先度、第1のUEによってカスタマイズされた値、c、w、またはcおよびwの関数g（c，w）のうちの1つであり、xの様々な値はf（x）によって表される様々な関数に対応する。
【００２１】
第1の態様を参照して、第1の態様の第13の可能な実装方式では、
Sは第1のグループ内のUEの数に対応し、Nは、第1のグループ内にあり、データを送信するUEの数に対応するか、または
Sは第1のUEの隣接UEの数に対応し、Nは、第1のUEの隣接UEの中にあり、データを送信するUEの数に対応し、第1のUEの隣接UEは、第1のUEと直接通信することができるUEである。
【００２２】
第1の態様を参照して、第1の態様の第14の可能な実装方式では、
リソースは、スケジューリング割当てSAリソース、サービスデータリソース、または発見リソースのうちの少なくとも1つであり、少なくとも1つの第2のUEに送信されるデータは、SA、サービスデータ、または発見信号のうちの少なくとも1つである。
【００２３】
第1の態様を参照して、第1の態様の第15の可能な実装方式では、
リソースは、SAリソースプール内のリソース、サービスデータリソースプール内のリソース、もしくは発見リソースプール内のリソースのうちの少なくとも1つであるか、またはある時間期間内に、SA、サービスデータ、もしくは発見信号のうちの少なくとも1つを送信することに利用可能なリソースである。
【００２４】
第2の態様によれば、
第1のUEにより、事前設定パラメータを取得することと、
第1のUEにより、S個のリソースのうちのZ個のリソースを使用することにより、事前設定パラメータに従って少なくとも1つの第2のUEにデータを送信することであって、Sが第1のUEによって取得されたリソース構成情報によって示されるリソース数である、送信することと
を含み、
事前設定パラメータが、第1のUEの衝突回数c、第1のUEの衝突時間w、第1のUEのサービス優先度Q、または第1のUEの優先度のうちの少なくとも1つであり、Sが1以上の整数であり、ZがS以下の整数であり、cが0以上の整数であり、wが正の数である、
リソース衝突低減方法が開示される。
【００２５】
第2の態様を参照して、第2の態様の第1の可能な実装方式では、
第1のUEにより、S個のリソースのうちのZ個のリソースを使用することにより、事前設定パラメータに従って少なくとも1つの第2のUEにデータを送信することの前に、方法は、
第1のUEにより、リソース構成情報を取得することであって、リソース構成情報がS個のリソースについての情報を含み、リソース構成情報が基地局によって構成されるか、または事前構成される、取得すること
をさらに含む。
【００２６】
第2の態様を参照して、第2の態様の第2の可能な実装方式では、
第1のUEにより、S個のリソースのうちのZ個のリソースを使用することにより、事前設定パラメータに従って少なくとも1つの第2のUEにデータを送信することは、
第1のUEにより、事前設定パラメータに従って事前設定継続時間Tを決定することと、
第1のUEにより、事前設定継続時間Tの間隔をおいて、S個のリソースからZ個のリソースをランダムに決定することと、
Z個のリソース上で少なくとも1つの第2のUEにデータを送信することと
を含む。
【００２７】
第2の態様を参照して、第2の態様の第3の可能な実装方式では、
Z個のリソース上で少なくとも1つの第2のUEに第1のUEによって送信されるデータは、元のデータが廃棄された後に取得された新しいデータであるか、または元のデータであり、
第1のUEは、事前設定パラメータに従って事前設定継続時間Tを決定し、
第1のUEは、事前設定継続時間Tの間隔をおいて、S個のリソースからZ個のリソースをランダムに決定し、
データは、Z個のリソース上で少なくとも1つの第2のUEに送信される。
【００２８】
第2の態様の第3の可能な実装方式を参照して、第2の態様の第4の可能な実装方式では、
第1のUEにより、S個のリソースのうちのZ個のリソースを使用することにより、事前設定パラメータに従って少なくとも1つの第2のUEにデータを送信することは、
第1のUEの衝突回数cがしきい値C0よりも小さいかどうか、第1のUEの衝突時間wがしきい値W0よりも小さいかどうか、または、第1のUEのサービス優先度QもしくはUEの優先度がしきい値Q0よりも低いかどうかを判定することと、
第1のUEの衝突回数cがしきい値C0よりも小さいか、第1のUEの衝突時間wがしきい値W0よりも小さいか、または、第1のUEのサービス優先度QもしくはUEの優先度がしきい値Q0よりも低い場合、事前設定パラメータに従って事前設定継続時間Tを決定すること、および
事前設定継続時間Tの間隔でS個のリソースからZ個のリソースをランダムに決定し、Z個のリソース上で少なくとも1つの第2のUEにデータを送信すること、あるいは
第1のUEの衝突回数cがしきい値C0よりも小さくないか、第1のUEの衝突時間wがしきい値W0よりも小さくないか、または、第1のUEのサービス優先度QもしくはUEの優先度がしきい値Q0よりも低くない場合、Z個のリソース上で少なくとも1つの第2のUEにデータを送信することと
を含む。
【００２９】
第2の態様を参照して、第2の態様の第5の可能な実装方式では、
第1のUEにより、S個のリソースのうちのZ個のリソースを使用することにより、事前設定パラメータに従って少なくとも1つの第2のUEにデータを送信することは、
第1のUEにより、S個のリソースからZ個のリソースをランダムに決定することと、
第1のUEにより、事前設定パラメータに従って送信確率Pを決定し、送信確率Pに従ってZ個のリソース上で少なくとも1つの第2のUEにデータを送信することと
を含む。
【００３０】
第2の態様を参照して、第2の態様の第6の可能な実装方式では、
事前設定パラメータに従って事前設定継続時間Tを決定することは、
第1のUEの衝突回数cがしきい値C0よりも大きいか、または第1のUEの衝突時間wがしきい値W0よりも大きいとき、事前設定継続時間Tが0であると決定すること、さもなければ
事前設定継続時間TがT＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数に対応する、決定すること
を含む。
【００３１】
第2の態様を参照して、第2の態様の第7の可能な実装方式では、
第1のUEにより、S個のリソースのうちのZ個のリソースを使用することにより、事前設定パラメータに従って少なくとも1つの第2のUEにデータを送信することは、
第1のUEにより、S個のリソースからZ個のリソースをランダムに決定することと、
第1のUEの衝突回数cがしきい値C0よりも小さいかどうか、第1のUEの衝突時間wがしきい値W0よりも小さいかどうか、または、第1のUEのサービス優先度QもしくはUEの優先度がしきい値Q0よりも低いかどうかを判定することと、
第1のUEの衝突回数cがしきい値C0よりも小さいか、第1のUEの衝突時間wがしきい値W0よりも小さいか、または、第1のUEのサービス優先度QもしくはUEの優先度がしきい値Q0よりも低い場合、事前設定パラメータに従って送信確率Pを決定し、送信確率Pに従ってZ個のリソース上で少なくとも1つの第2のUEにデータを送信すること、あるいは
第1のUEの衝突回数cがしきい値C0よりも小さくないか、第1のUEの衝突時間wがしきい値W0よりも小さくないか、または、第1のUEのサービス優先度QもしくはUEの優先度がしきい値Q0よりも低くない場合、Z個のリソース上で少なくとも1つの第2のUEにデータを送信することと
を含む。
【００３２】
第2の態様を参照して、第2の態様の第8の可能な実装方式では、
事前設定パラメータに従って送信確率Pを決定することは、
第1のUEの衝突回数cがしきい値C0よりも大きいか、または第1のUEの衝突時間wがしきい値W0よりも大きいとき、送信確率Pが1であると決定すること、さもなければ
送信確率PがP＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数に対応する、決定すること
を含む。
【００３３】
第3の態様によれば、
S個のリソースからN個の利用可能なリソースを決定するように構成された決定ユニットであって、Sが第1のUEによって取得されたリソース構成情報によって示されるリソース数であり、
N個の利用可能なリソースに応じてM個のリソースを決定するようにさらに構成される、
決定ユニットと、
M個のリソースを使用することにより、少なくとも1つの第2のUEにデータを送信するように構成された送信ユニットと
を含み、
Sが1以上の整数であり、Nが0以上S以下の整数であり、Mが0以上N以下の整数である、
UEが開示される。
【００３４】
第3の態様を参照して、第3の態様の第1の可能な実装方式では、
決定ユニットは、具体的に、N個の利用可能なリソースからM個のリソースをランダムに選択するように構成される。
【００３５】
第3の態様を参照して、第3の態様の第2の可能な実装方式では、
取得ユニットがさらに含まれ、
取得ユニットは、リソース構成情報を取得するように構成され、リソース構成情報はS個のリソースについての情報を含み、リソース構成情報は基地局によって構成されるか、または事前構成される。
【００３６】
第3の態様を参照して、第3の態様の第3の可能な実装方式では、
決定ユニットは、具体的に、S個のリソースの各々で搬送される信号のエネルギーもしくは電力を検出し、リソース上で搬送される信号のエネルギーがしきい値mよりも小さいか、もしくはリソース上で搬送される信号の電力がしきい値nよりも小さい場合、リソースが利用可能なリソースであると判断することであって、mおよびnが正の数である、判断すること、または
S個のリソースの各々で搬送されるシーケンスを検出し、リソースが事前設定シーケンスを搬送しない場合、リソースが利用可能なリソースであると判断すること
を行うように構成される。
【００３７】
第3の態様を参照して、第3の態様の第4の可能な実装方式では、
決定ユニットは、具体的に、S個のリソースからN個の利用可能なリソースを決定することの後に、事前設定継続時間Tの間隔をおいて、N個の利用可能なリソースに応じてM個のリソースを決定すること、または
第1のUEにより、事前設定継続時間Tの間隔をおいて、S個のリソースからN個の利用可能なリソースを再決定すること
を行うように構成され、
Tは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定され、cは0以上の整数であり、wは正の数である。
【００３８】
第3の態様を参照して、第3の態様の第5の可能な実装方式では、
決定ユニットは、具体的に、S個のリソースからN個の利用可能なリソースを決定することの後に、第1のUEが第1の事前設定条件を満たすかどうかを判定することと、
第1のUEが第1の事前設定条件を満たす場合、N個の第1の時間周波数リソースに応じてM個のリソースを決定すること、または
第1のUEが第1の事前設定条件を満たさない場合、事前設定継続時間Tの間隔をおいて、N個の利用可能なリソースに応じてM個のリソースを決定することと
を行うように構成され、
Tは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定され、第1の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも大きいことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。
【００３９】
第3の態様を参照して、第3の態様の第6の可能な実装方式では、
決定ユニットが、事前設定継続時間Tの間隔をおいて、N個の利用可能なリソースに応じてM個のリソースを決定することは、N個の利用可能なリソースからM個のリソースをランダムに選択すること、または
N個の利用可能なリソースに応じてL個のリソースを取得し、第1のUEにより、L個の利用可能なリソースからM個のリソースをランダムに選択すること
を含む。
【００４０】
第3の態様を参照して、第3の態様の第7の可能な実装方式では、
決定ユニットが、N個の利用可能なリソースに応じてL個のリソースを取得することは、具体的に、事前設定された規則を使用することにより、N個の利用可能なリソース上で動作を実施した後にL個のリソースを取得することを含む。
【００４１】
第3の態様を参照して、第3の態様の第8の可能な実装方式では、
少なくとも1つのUEに送信ユニットによって送信されるデータは、元のデータが廃棄された後に取得された新しいデータであるか、または元のデータである。
【００４２】
第3の態様を参照して、第3の態様の第9の可能な実装方式では、
Tが、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定されることは、具体的に、
第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも高い場合、事前設定継続時間Tは0に等しく、さもなければ事前設定継続時間TはT＝f（x）であること
を含み、
xはN、N−S、N／S、第1のUEのサービス優先度Q、UEの優先度、第1のUEによってカスタマイズされた値、c、w、またはcおよびwの関数g（c，w）のうちの1つであり、xの様々な値はf（x）によって表される様々な関数に対応する。
【００４３】
第3の態様を参照して、第3の態様の第10の可能な実装方式では、
決定ユニットは、送信確率Pを決定するようにさらに構成され、
送信ユニットは、具体的に、送信確率Pに従ってM個のリソース上で少なくとも1つの第2のUEにデータを送信するように構成され、送信確率Pは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定される。
【００４４】
第3の態様を参照して、第3の態様の第11の可能な実装方式では、
判定ユニットがさらに含まれ、
判定ユニットは、第1のUEが第2の事前設定条件を満たすかどうかを判定するように構成され、
判定ユニットが、第1のUEが第2の事前設定条件を満たすと判定した場合、送信ユニットは、M個のリソース上で少なくとも1つの第2のUEにデータを送信し、または
判定ユニットが、第1のUEが第2の事前設定条件を満たさないと判定した場合、決定ユニットは送信確率Pを決定し、送信ユニットは、送信確率Pに従ってM個のリソース上で少なくとも1つの第2のUEにデータを送信し、
Pは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定され、第2の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも大きいことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。
【００４５】
第3の態様を参照して、第3の態様の第12の可能な実装方式では、
Pが、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定されることは、具体的に、
第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも高い場合、送信確率Pは1に等しく、さもなければ送信確率PはP＝f（x）であること
を含み、
xはN、N−S、N／S、第1のUEのサービス優先度Q、UEの優先度、第1のUEによってカスタマイズされた値、c、w、またはcおよびwの関数g（c，w）のうちの1つであり、xの様々な値はf（x）によって表される様々な関数に対応する。
【００４６】
第3の態様を参照して、第3の態様の第13の可能な実装方式では、
Sは第1のUEに対応する第1のグループ内のUEの数に対応し、Nは、第1のグループ内にあり、データを送信するUEの数に対応するか、または
Sは第1のUEの隣接UEの数に対応し、Nは、第1のUEの隣接UEの中にあり、データを送信するUEの数に対応し、第1のUEの隣接UEは、第1のUEと直接通信することができるUEである。
【００４７】
第3の態様を参照して、第3の態様の第14の可能な実装方式では、
リソースは、スケジューリング割当てSAリソース、サービスデータリソース、または発見リソースのうちの少なくとも1つであり、少なくとも1つの第2のUEに送信されるデータは、SA、サービスデータ、または発見信号のうちの少なくとも1つである。
【００４８】
第3の態様を参照して、第3の態様の第15の可能な実装方式では、
リソースは、SAリソースプール内のリソース、サービスデータリソースプール内のリソース、もしくは発見リソースプール内のリソースのうちの少なくとも1つであるか、またはある時間期間内に、SA、サービスデータ、もしくは発見信号のうちの少なくとも1つを送信することに利用可能なリソースである。
【００４９】
第4の態様によれば、
事前設定パラメータを取得するように構成された取得ユニットと、
S個のリソースのうちのZ個のリソースを使用することにより、事前設定パラメータに従って少なくとも1つの第2のUEにデータを送信するように構成された送信ユニットであって、Sが第1のUEによって取得されたリソース構成情報によって示されるリソース数である、送信ユニットと
を含み、
事前設定パラメータが、第1のUEの衝突回数c、第1のUEの衝突時間w、第1のUEのサービス優先度Q、またはUEの優先度のうちの少なくとも1つである、
UEが開示される。
【００５０】
第4の態様を参照して、第4の態様の第1の可能な実装方式では、
取得ユニットがさらに含まれ、
取得ユニットは、リソース構成情報を取得するように構成され、リソース構成情報はS個のリソースについての情報を含み、リソース構成情報は基地局によって構成されるか、または事前構成される。
【００５１】
第4の態様を参照して、第4の態様の第2の可能な実装方式では、
決定ユニットがさらに含まれ、
決定ユニットは、事前設定パラメータに従って事前設定継続時間Tを決定し、事前設定継続時間Tの間隔をおいて、S個のリソースからZ個のリソースをランダムに決定するように構成され、
送信ユニットは、Z個のリソース上で少なくとも1つの第2のUEにデータを送信するように構成される。
【００５２】
第4の態様を参照して、第4の態様の第3の可能な実装方式では、
Z個のリソース上で少なくとも1つの第2のUEに第1のUEによって送信されるデータは、元のデータが廃棄された後に取得された新しいデータであるか、または元のデータである。
【００５３】
第4の態様を参照して、第4の態様の第4の可能な実装方式では、
判定ユニットがさらに含まれ、
判定ユニットは、第1のUEの衝突回数cがしきい値C0よりも小さいかどうか、第1のUEの衝突時間wがしきい値W0よりも小さいかどうか、または、第1のUEのサービス優先度QもしくはUEの優先度がしきい値Q0よりも低いかどうかを判定するように構成され、
決定ユニットは、第1のUEの衝突回数cがしきい値C0よりも小さいか、第1のUEの衝突時間wがしきい値W0よりも小さいか、または、第1のUEのサービス優先度QもしくはUEの優先度がしきい値Q0よりも低い場合、事前設定パラメータに従って事前設定継続時間Tを決定し、事前設定継続時間Tの間隔でS個のリソースからZ個のリソースをランダムに決定するように構成され、
送信ユニットは、Z個のリソース上で少なくとも1つの第2のUEにデータを送信するように構成され、あるいは
送信ユニットは、第1のUEの衝突回数cがしきい値C0よりも小さくないか、第1のUEの衝突時間wがしきい値W0よりも小さくないか、または、第1のUEのサービス優先度QもしくはUEの優先度がしきい値Q0よりも低くない場合、Z個のリソース上で少なくとも1つの第2のUEにデータを送信するように構成される。
【００５４】
第4の態様を参照して、第4の態様の第5の可能な実装方式では、
事前設定パラメータに従って事前設定継続時間Tを決定することは、
第1のUEの衝突回数cがしきい値C0よりも大きいか、または第1のUEの衝突時間wがしきい値W0よりも大きいとき、事前設定継続時間Tが0であると決定すること、さもなければ
事前設定継続時間TがT＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数に対応する、決定すること
を含む。
【００５５】
第4の態様を参照して、第4の態様の第6の可能な実装方式では、
事前設定パラメータに従って事前設定継続時間Tを決定することは、
第1のUEの衝突回数cがしきい値C0よりも大きいか、または第1のUEの衝突時間wがしきい値W0よりも大きいとき、事前設定継続時間Tが0であると決定すること、さもなければ
事前設定継続時間TがT＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数に対応する、決定すること
を含む。
【００５６】
第4の態様を参照して、第4の態様の第7の可能な実装方式では、
判定ユニットがさらに含まれ、
決定ユニットは、S個のリソースからZ個のリソースをランダムに決定するように構成され、
判定ユニットは、第1のUEの衝突回数cがしきい値C0よりも小さいかどうか、第1のUEの衝突時間wがしきい値W0よりも小さいかどうか、または、第1のUEのサービス優先度QもしくはUEの優先度がしきい値Q0よりも低いかどうかを判定するように構成され、
決定ユニットは、第1のUEの衝突回数cがしきい値C0よりも小さいか、第1のUEの衝突時間wがしきい値W0よりも小さいか、または、第1のUEのサービス優先度QもしくはUEの優先度がしきい値Q0よりも低い場合、事前設定パラメータに従って送信確率Pを決定するように構成され、
送信ユニットは、送信確率Pに従ってZ個のリソース上で少なくとも1つの第2のUEにデータを送信するように構成され、あるいは
送信ユニットは、第1のUEの衝突回数cがしきい値C0よりも小さくないか、第1のUEの衝突時間wがしきい値W0よりも小さくないか、または、第1のUEのサービス優先度QもしくはUEの優先度がしきい値Q0よりも低くない場合、Z個のリソース上で少なくとも1つの第2のUEにデータを送信するように構成される。
【００５７】
第4の態様を参照して、第4の態様の第8の可能な実装方式では、
事前設定パラメータに従って送信確率Pを決定することは、
第1のUEの衝突回数cがしきい値C0よりも大きいか、または第1のUEの衝突時間wがしきい値W0よりも大きいとき、送信確率Pが1であると決定すること、さもなければ
送信確率PがP＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数に対応する、決定すること
を含む。
【００５８】
第5の態様によれば、
S個のリソースからN個の利用可能なリソースを決定することであって、Sが第1のUEによって取得されたリソース構成情報によって示されるリソース数である、決定することと、N個の利用可能なリソースに応じてM個のリソースを決定することとを行うように構成されたプロセッサと、
M個のリソースを使用することにより、少なくとも1つの第2のUEにデータを送信するように構成された送信機と
を含み、
Sが1以上の整数であり、Nが0以上S以下の整数であり、Mが0以上N以下の整数である、
UEが開示される。
【００５９】
第5の態様を参照して、第5の態様の第1の可能な実装方式では、
プロセッサは、具体的に、N個の利用可能なリソースからM個のリソースをランダムに選択するように構成される。
【００６０】
第5の態様を参照して、第5の態様の第2の可能な実装方式では、
プロセッサは、リソース構成情報を取得するように構成され、リソース構成情報はS個のリソースについての情報を含み、リソース構成情報は基地局によって構成されるか、または事前構成される。
【００６１】
第5の態様を参照して、第5の態様の第3の可能な実装方式では、
プロセッサは、具体的に、S個のリソースの各々で搬送される信号のエネルギーもしくは電力を検出し、リソース上で搬送される信号のエネルギーがしきい値mよりも小さいか、もしくはリソース上で搬送される信号の電力がしきい値nよりも小さい場合、リソースが利用可能なリソースであると判断することであって、mおよびnが正の数である、判断すること、または
S個のリソースの各々で搬送されるシーケンスを検出し、リソースが事前設定シーケンスを搬送しない場合、リソースが利用可能なリソースであると判断すること
を行うように構成される。
【００６２】
第5の態様を参照して、第5の態様の第4の可能な実装方式では、
プロセッサは、具体的に、S個のリソースからN個の利用可能なリソースを決定することの後に、事前設定継続時間Tの間隔をおいて、N個の利用可能なリソースに応じてM個のリソースを決定すること、または
第1のUEにより、事前設定継続時間Tの間隔をおいて、S個のリソースからN個の利用可能なリソースを再決定すること
を行うように構成され、
Tは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定され、cは0以上の整数であり、wは正の数である。
【００６３】
第5の態様を参照して、第5の態様の第5の可能な実装方式では、
プロセッサは、具体的に、S個のリソースからN個の利用可能なリソースを決定することの後に、第1のUEが第1の事前設定条件を満たすかどうかを判定することと、
第1のUEが第1の事前設定条件を満たす場合、N個の第1の時間周波数リソースに応じてM個のリソースを決定すること、または
第1のUEが第1の事前設定条件を満たさない場合、事前設定継続時間Tの間隔をおいて、N個の利用可能なリソースに応じてM個のリソースを決定することと
を行うように構成され、
Tは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定され、第1の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも大きいことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。
【００６４】
第5の態様を参照して、第5の態様の第6の可能な実装方式では、
プロセッサが、事前設定継続時間Tの間隔をおいて、N個の利用可能なリソースに応じてM個のリソースを決定することは、N個の利用可能なリソースからM個のリソースをランダムに選択すること、または
N個の利用可能なリソースに応じてL個のリソースを取得し、第1のUEにより、L個の利用可能なリソースからM個のリソースをランダムに選択すること
を含む。
【００６５】
第5の態様を参照して、第5の態様の第7の可能な実装方式では、
プロセッサが、N個の利用可能なリソースに応じてL個のリソースを取得することは、具体的に、事前設定された規則を使用することにより、N個の利用可能なリソース上で動作を実施した後にL個のリソースを取得することを含む。
【００６６】
第5の態様を参照して、第5の態様の第8の可能な実装方式では、
少なくとも1つのUEに送信機によって送信されるデータは、元のデータが廃棄された後に取得された新しいデータであるか、または元のデータである。
【００６７】
第5の態様を参照して、第5の態様の第9の可能な実装方式では、
Tが、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定されることは、具体的に、
第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも高い場合、事前設定継続時間Tは0に等しく、さもなければ事前設定継続時間TはT＝f（x）であること
を含み、
xはN、N−S、N／S、第1のUEのサービス優先度Q、UEの優先度、第1のUEによってカスタマイズされた値、c、w、またはcおよびwの関数g（c，w）のうちの1つであり、xの様々な値はf（x）によって表される様々な関数に対応する。
【００６８】
第5の態様を参照して、第5の態様の第10の可能な実装方式では、
プロセッサは、送信確率Pを決定するようにさらに構成され、
送信機は、具体的に、送信確率Pに従ってM個のリソース上で少なくとも1つの第2のUEにデータを送信するように構成され、送信確率Pは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定される。
【００６９】
第5の態様を参照して、第5の態様の第11の可能な実装方式では、
プロセッサは、第1のUEが第2の事前設定条件を満たすかどうかを判定するように構成され、
プロセッサが、第1のUEが第2の事前設定条件を満たすと判定した場合、送信機は、M個のリソース上で少なくとも1つの第2のUEにデータを送信し、または
プロセッサが、第1のUEが第2の事前設定条件を満たさないと判定した場合、決定ユニットは送信確率Pを決定し、送信機は、送信確率Pに従ってM個のリソース上で少なくとも1つの第2のUEにデータを送信し、
Pは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定され、第2の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも大きいことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。
【００７０】
第5の態様を参照して、第5の態様の第12の可能な実装方式では、
Pが、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定されることは、具体的に、
第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも高い場合、送信確率Pは1に等しく、さもなければ送信確率PはP＝f（x）であること
を含み、
xはN、N−S、N／S、第1のUEのサービス優先度Q、UEの優先度、第1のUEによってカスタマイズされた値、c、w、またはcおよびwの関数g（c，w）のうちの1つであり、xの様々な値はf（x）によって表される様々な関数に対応する。
【００７１】
第5の態様を参照して、第5の態様の第13の可能な実装方式では、
Sは第1のUEに対応する第1のグループ内のUEの数に対応し、Nは、第1のグループ内にあり、データを送信するUEの数に対応するか、または
Sは第1のUEの隣接UEの数に対応し、Nは、第1のUEの隣接UEの中にあり、データを送信するUEの数に対応し、第1のUEの隣接UEは、第1のUEと直接通信することができるUEである。
【００７２】
第5の態様を参照して、第5の態様の第14の可能な実装方式では、
リソースは、スケジューリング割当てSAリソース、サービスデータリソース、または発見リソースのうちの少なくとも1つであり、少なくとも1つの第2のUEに送信されるデータは、SA、サービスデータ、または発見信号のうちの少なくとも1つである。
【００７３】
第5の態様を参照して、第5の態様の第15の可能な実装方式では、
リソースは、SAリソースプール内のリソース、サービスデータリソースプール内のリソース、もしくは発見リソースプール内のリソースのうちの少なくとも1つであるか、またはある時間期間内に、SA、サービスデータ、もしくは発見信号のうちの少なくとも1つを送信することに利用可能なリソースである。
【００７４】
第6の態様によれば、
事前設定パラメータを取得するように構成されたプロセッサと、
S個のリソースのうちのZ個のリソースを使用することにより、事前設定パラメータに従って少なくとも1つの第2のUEにデータを送信するように構成された送信機であって、Sが第1のUEによって取得されたリソース構成情報によって示されるリソース数である、送信機と
を含み、
事前設定パラメータが、第1のUEの衝突回数c、第1のUEの衝突時間w、第1のUEのサービス優先度Q、またはUEの優先度のうちの少なくとも1つであり、Sが1以上の整数であり、ZがS以下の整数であり、cが0以上の整数であり、wが正の数である、
UEが開示される。
【００７５】
第6の態様を参照して、第6の態様の第1の可能な実装方式では、
プロセッサは、リソース構成情報を取得するように構成され、リソース構成情報はS個のリソースについての情報を含み、リソース構成情報は基地局によって構成されるか、または事前構成される。
【００７６】
第6の態様を参照して、第6の態様の第2の可能な実装方式では、
プロセッサは、事前設定パラメータに従って事前設定継続時間Tを決定し、事前設定継続時間Tの間隔をおいて、S個のリソースからZ個のリソースをランダムに決定するように構成され、
送信機は、Z個のリソース上で少なくとも1つの第2のUEにデータを送信するように構成される。
【００７７】
第6の態様を参照して、第6の態様の第3の可能な実装方式では、
Z個のリソース上で少なくとも1つの第2のUEに第1のUEによって送信されるデータは、元のデータが廃棄された後に取得された新しいデータであるか、または元のデータである。
【００７８】
第6の態様を参照して、第6の態様の第4の可能な実装方式では、
プロセッサは、第1のUEの衝突回数cがしきい値C0よりも小さいかどうか、第1のUEの衝突時間wがしきい値W0よりも小さいかどうか、または、第1のUEのサービス優先度QもしくはUEの優先度がしきい値Q0よりも低いかどうかを判定するように構成され、
第2のプロセッサは、第1のUEの衝突回数cがしきい値C0よりも小さいか、第1のUEの衝突時間wがしきい値W0よりも小さいか、または、第1のUEのサービス優先度QもしくはUEの優先度がしきい値Q0よりも低い場合、事前設定パラメータに従って事前設定継続時間Tを決定し、事前設定継続時間Tの間隔でS個のリソースからZ個のリソースをランダムに決定するように構成され、送信機は、Z個のリソース上で少なくとも1つの第2のUEにデータを送信するように構成され、あるいは
送信機は、第1のUEの衝突回数cがしきい値C0よりも小さくないか、第1のUEの衝突時間wがしきい値W0よりも小さくないか、または、第1のUEのサービス優先度QもしくはUEの優先度がしきい値Q0よりも低くない場合、Z個のリソース上で少なくとも1つの第2のUEにデータを送信するように構成される。
【００７９】
第6の態様を参照して、第6の態様の第5の可能な実装方式では、
事前設定パラメータに従って事前設定継続時間Tを決定することは、
第1のUEの衝突回数cがしきい値C0よりも大きいか、または第1のUEの衝突時間wがしきい値W0よりも大きいとき、事前設定継続時間Tが0であると決定すること、さもなければ
事前設定継続時間TがT＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数に対応する、決定すること
を含む。
【００８０】
第6の態様を参照して、第6の態様の第6の可能な実装方式では、
事前設定パラメータに従って事前設定継続時間Tを決定することは、
第1のUEの衝突回数cがしきい値C0よりも大きいか、または第1のUEの衝突時間wがしきい値W0よりも大きいとき、事前設定継続時間Tが0であると決定すること、さもなければ
事前設定継続時間TがT＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数に対応する、決定すること
を含む。
【００８１】
第6の態様を参照して、第6の態様の第7の可能な実装方式では、
プロセッサは、S個のリソースからZ個のリソースをランダムに決定し、第1のUEの衝突回数cがしきい値C0よりも小さいかどうか、第1のUEの衝突時間wがしきい値W0よりも小さいかどうか、または、第1のUEのサービス優先度QもしくはUEの優先度がしきい値Q0よりも低いかどうかを判定するように構成され、
プロセッサは、第1のUEの衝突回数cがしきい値C0よりも小さいか、第1のUEの衝突時間wがしきい値W0よりも小さいか、または、第1のUEのサービス優先度QもしくはUEの優先度がしきい値Q0よりも低い場合、事前設定パラメータに従って送信確率Pを決定するように構成され、送信機は、送信確率Pに従ってZ個のリソース上で少なくとも1つの第2のUEにデータを送信するように構成され、あるいは
送信機は、第1のUEの衝突回数cがしきい値C0よりも小さくないか、第1のUEの衝突時間wがしきい値W0よりも小さくないか、または、第1のUEのサービス優先度QもしくはUEの優先度がしきい値Q0よりも低くない場合、Z個のリソース上で少なくとも1つの第2のUEにデータを送信するように構成される。
【００８２】
第6の態様を参照して、第6の態様の第8の可能な実装方式では、
事前設定パラメータに従って送信確率Pを決定することは、
第1のUEの衝突回数cがしきい値C0よりも大きいか、または第1のUEの衝突時間wがしきい値W0よりも大きいとき、送信確率Pが1であると決定すること、さもなければ
送信確率PがP＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数に対応する、決定すること
を含む。
【００８３】
本発明の実施形態において提供されるリソース衝突低減方法およびUEによれば、第1のUEは、S個のリソースからN個の利用可能なリソースを決定し、N個の利用可能なリソースに応じてM個のリソースを決定し、最後に、M個のリソースを使用することにより、少なくとも1つの第2のUEにデータを送信する。代替として、第1のUEは、S個のリソースのうちのZ個のリソースを使用することにより、事前設定パラメータに従って少なくとも1つの第2のUEにデータを送信する。事前設定パラメータは、第1のUEの衝突回数c、第1のUEの衝突時間w、第1のUEのサービス優先度Q、またはUEの優先度のうちの少なくとも1つである。既存のD2D技術によれば、UEは、事前設定リソースプール内のリソースをランダムに選択し、様々なUEが同じリソースを先取りするので衝突が発生する。本発明において提供される方法では、各UEは、事前設定リソースを検出し、利用可能なリソースを決定し、次いで、決定された利用可能なリソースに従ってデータを送信する。代替として、UEは、UEの衝突回数、UEの衝突時間、またはUEのサービス優先度などのパラメータを参照して、送信確率または待機期間を決定する。様々なUEは、様々な待機期間または送信確率に対応する。これにより、UEが別のUEと同じリソースを求めて競合する確率を低減し、送信UEがリソースを先取りするために既存のD2D技術において発生する衝突をある程度低減することができる。
【００８４】
本発明の実施形態または従来技術における技術的解決策をより明確に記載するために、以下で、実施形態または従来技術を記載するために必要とされる添付図面を簡単に記載する。明らかに、以下の説明における添付図面は本発明のいくつかの実施形態を示すにすぎず、当業者は、創造的な努力なしに、これらの添付図面から他の図面をさらに導出することができる。
【図面の簡単な説明】
【００８５】
【図１】本発明の実施形態1による、リソース衝突低減方法の概略フローチャートである。
【図２】本発明の実施形態2による、リソース衝突低減方法の概略フローチャートである。
【図３】本発明の実施形態3による、リソース衝突低減方法の概略フローチャートである。
【図４】本発明の実施形態3による、別のリソース衝突低減方法の概略フローチャートである。
【図５】本発明の実施形態3による、別のリソース衝突低減方法の概略フローチャートである。
【図６】本発明の実施形態3による、別のリソース衝突低減方法の概略フローチャートである。
【図７】本発明の実施形態3による、別のリソース衝突低減方法の概略フローチャートである。
【図８】本発明の実施形態3による、別のリソース衝突低減方法の概略フローチャートである。
【図９】本発明の実施形態3による、別のリソース衝突低減方法の概略フローチャートである。
【図１０】本発明の実施形態3による、別のリソース衝突低減方法の概略フローチャートである。
【図１１】本発明の実施形態4による、UEの構造ブロック図である。
【図１２】本発明の実施形態5による、UEの構造ブロック図である。
【図１２ａ】本発明の実施形態5による、UEの別の構造ブロック図である。
【図１２ｂ】本発明の実施形態5による、UEの別の構造ブロック図である。
【図１３】本発明の実施形態6による、UEの構造ブロック図である。
【図１４】本発明の実施形態7による、UEの構造ブロック図である。
【発明を実施するための形態】
【００８６】
以下で、本発明の実施形態における添付図面を参照して、本発明の実施形態における技術的解決策を明確かつ完全に記載する。明らかに、記載される実施形態は、本発明の実施形態のうちのいくつかにすぎず、すべてではない。創造的な努力なしに本発明の実施形態に基づいて、当業者によって取得されるすべての他の実施形態は、本発明の保護範囲内に入るべきである。
【００８７】
D2D通信モードでは、デバイスは通信のために直接接続され、直接通信は端末間で実施される場合があり、転送のために基地局が必要とされない。したがって、基地局のデータ負荷を低減することができ、スペクトルリソースをより良く利用することができ、スペクトル利用率およびデータレートを上げることができる。D2D技術では、基地局が比較的強い耐干渉性を有することを考慮して、各UEは、LTE−A（Long Term Evolution−Advanced、ロングタームエボリューションアドバンスト）システムのアップリンクスペクトルリソースを多重化する。
【００８８】
現在、D2Dリソース割振り機構における競合ベース方式は、データまたはシグナリングを送信する必要があるUEが、競合方式でリソースプールから、送信に使用される時間周波数リソースを取得する必要があることである。
【００８９】
D2D通信は、2つのタイプ：D2Dデバイス発見およびD2Dデバイス通信に分類される。D2Dデバイス発見では、UEは発見信号のみを送信し、D2Dデバイス通信では、UEは制御シグナリングおよびデータを送信する。
【００９０】
（制御シグナリングもしくはサービスデータを送信するか、または発見信号を送信する）送信UEの観点から、現在、2つのD2Dリソース割振りモード：集中型制御方式および競合ベース方式が存在する。集中型制御方式では、D2Dリソースは（基地局または中継局などの）中央制御デバイスによって割り振られ、リソースは使用する送信UEにスケジューリング方式で割り振られる。集中型制御方式におけるリソース割振りは、主に、ネットワークカバレージがあるシナリオにおいて使用される。競合ベース分散リソース多重化方法では、送信UEは、競合方式でリソースプールから送信リソースを取得する。ネットワークカバレージがあるシナリオでは、リソースプールは基地局によって割り振られたリソースブロック全体であり、すべてのD2Dユーザは、リソースブロック全体からの小さいリソースブロックを求めて競合する。ネットワークカバレージがないシナリオでは、リソースプールはD2Dユーザが取得することができる事前定義されたシステム帯域幅であり、すべてのD2Dユーザは、事前定義されたリソースからのリソースを求めて競合する。
【００９１】
前述の競合ベースリソース割振り方式の場合、調整用の中央コントローラは存在せず、様々なUEが同じリソースを求めて競合する場合がある。したがって、衝突が発生する。比較的大量のUEが存在するとき、そのようは衝突状況が発生する確率は極めて高い。
【００９２】
既存の機構では、ネットワークカバレージ内で、基地局は送信UEについての送信確率Pを構成する。UEは、事前設定リソースプールからリソースをランダムに選択し、次いで、確率P（0＜p≦1であり、値の範囲は｛0．25，0．5，0．75，1｝である）に基づいて、ランダムに選択されたリソース上で発見信号を送信する。ネットワークカバレージを越えると、確率Pは事前構成によって取得される。
【００９３】
従来技術では、データ（またはシグナリング）は、基地局によって事前構成された確率に基づいて送信される。最終的に選択されるリソースがまだ占有されている可能性が高い。その結果、衝突がさらに発生する。1よりも小さい送信確率を盲目的に使用することのみによって衝突を解消する効果は、比較的限定される。加えて、ネットワークカバレージがないシナリオの場合、UEは基地局からスケジューリングシグナリングを受信することができず、さらに、基地局によって構成された送信確率Pを使用することによってデータを送信することができない。
【００９４】
実施形態1
本発明のこの実施形態は、UEによって実行されるリソース衝突低減方法を提供する。図1に示されたように、方法は以下のステップを含む。
【００９５】
101．第1のUEがS個のリソースからN個の利用可能なリソースを決定し、Sは第1のUEによって取得されたリソース構成情報によって示されるリソース数である。
【００９６】
リソースは、スケジューリング割当て（Scheduling Assignment、SA）リソース、サービスデータリソース、または発見リソースのうちの少なくとも1つであり、少なくとも1つの第2のUEに送信されるデータは、SA、サービスデータ、または発見信号のうちの少なくとも1つである。代替として、リソースは、SAリソースプール内のリソース、サービスデータリソースプール内のリソース、もしくは発見リソースプール内のリソースのうちの少なくとも1つであるか、またはある時間期間内に、SA、サービスデータ、もしくは発見信号のうちの少なくとも1つを送信することに利用可能なリソースである。
【００９７】
UEにとって、利用可能なリソースは、リソース上で搬送される信号のエネルギーがしきい値mよりも小さいか、もしくはリソース上で搬送される信号の電力がしきい値nよりも小さいこと、またはリソースが事前設定シーケンスを搬送しないことを示す。リソース上で搬送される信号のエネルギーが極めて低いとき、信号はノイズ信号と考えることができる。代替として、リソース上のシーケンスが、LTEシステム、Wi−Fiシステム、またはUEに知られた別のシステムのシーケンスではない場合、リソースは利用可能なリソースと考えられる。
【００９８】
S個のリソースは、ネットワークカバレージ内にあり、基地局によって送信されたリソース構成情報によって示される場合があるか、またはネットワークカバレージを越えて事前構成されたリソースの場合がある。ステップ101の前に、UEは基地局によって送信されたリソース構成情報を受信する。
【００９９】
特定の実装形態では、UEは、事前設定時間期間内に、または事前設定リソース範囲内で、S個のリソースを検出して利用可能なリソースを決定する。事前設定時間期間は、SA期間、discovery（発見）期間、またはdata（サービスデータ）期間などの、少なくとも1つのSL（Sidelink、サイドリンク）期間であり得る。事前設定時間期間および／または事前設定リソース範囲は、事前構成されるか、またはネットワークカバレージがあるシナリオにおいて基地局によって構成される。
【０１００】
102．第1のUEがN個の利用可能なリソースに応じてM個のリソースを決定する。
【０１０１】
特定の実装形態では、第1のUEは、N個の利用可能なリソースからM個のリソースをランダムに選択する場合がある。代替として、第1のUEは、N個の利用可能なリソースに応じてL個のリソースを取得し、第1のUEは、L個の利用可能なリソースからM個のリソースをランダムに選択する。代替として、第1のUEは、S個のリソースからN個の利用可能なリソースを再決定し、第1のUEは、再決定されたN個の利用可能なリソースからM個のリソースをランダムに選択する。
【０１０２】
第1のUEにより、N個の利用可能なリソースに応じてL個のリソースを取得することは、具体的に、第1のUEにより、事前設定された規則を使用することにより、N個の利用可能なリソース上で動作を実施した後にL個のリソースを取得することを含む。たとえば、L個のリソースは、周波数ホッピング公式に従う計算によって取得される場合がある。
【０１０３】
加えて、第1のUEはM個のリソースを選択する。選択されたリソースのサイズは、送信されるデータのタイプに関係する場合がある。たとえば、SAを送信するために占有される必要があるリソースは、時間領域内の1つのサブフレームおよび周波数領域内の1つのPRBである。発見信号を送信するために占有される必要があるリソースは、時間領域内の1つのサブフレームおよび周波数領域内の2つのPRBである。サービスデータを送信するために占有される必要があるリソースは、時間領域内の1つのサブフレームおよび周波数領域内のいくつかのPRBである。リソースは、一定の粒度を使用することにより、SAリソースプールおよびDiscoveryリソースプールから選択される場合があり、任意の数のPRBリソースは、データリソースプールから選択される場合がある。
【０１０４】
103．第1のUEが、M個のリソースを使用することにより、少なくとも1つの第2のUEにデータを送信する。
【０１０５】
特定の実装形態では、M個のリソースに従って少なくとも1つの第2のUEにデータをどのように送信するかは、利用可能なリソースの数N、利用できないリソースの数N−S、利用可能なリソースの割合N／S、第1のUEの衝突回数c、または衝突時間wなどのパラメータに従って決定される場合がある。データはM個のリソース上で送信される場合があるか、またはデータは送信確率Pに従ってM個のリソース上で送信される場合がある。
【０１０６】
Sは1以上の整数であり、Nは0以上S以下の整数であり、Mは0以上N以下の整数であることに留意されたい。
【０１０７】
本発明の好ましい実施形態では、第1のUEにより、N個の利用可能なリソースに応じてM個のリソースを決定することは、
第1のUEにより、N個の利用可能なリソースからM個のリソースをランダムに選択すること
を含む。
【０１０８】
本発明の好ましい実施形態では、第1のUEにより、S個のリソースからN個の利用可能なリソースを決定することの前に、方法は、
第1のUEにより、リソース構成情報またはリソース事前構成情報を取得することと、第1のUEにより、リソース構成情報を取得することであって、リソース構成情報がS個のリソースについての情報を含み、リソース構成情報が基地局によって構成されるか、または事前構成される、取得することと
をさらに含む。
【０１０９】
本発明の好ましい実施形態では、第1のUEにより、S個のリソースからN個の利用可能なリソースを決定することは、
第1のUEにより、S個のリソースの各々で搬送される信号のエネルギーもしくは電力を検出し、リソース上で搬送される信号のエネルギーもしくは電力がしきい値aよりも小さい場合、リソースが利用可能なリソースであると判断すること、または
第1のUEにより、S個のリソースの各々で搬送されるシーケンスを検出し、リソースが事前設定シーケンスを搬送しない場合、リソースが利用可能なリソースであると判断すること
を含む。
【０１１０】
本発明の好ましい実施形態では、第1のUEにより、S個のリソースからN個のアイドルリソースおよび利用可能なリソースを決定することの後に、方法は、
第1のUEにより、事前設定継続時間Tの間隔をおいて、N個の利用可能なリソースに応じてM個のリソースを決定すること、または
第1のUEにより、事前設定継続時間Tの間隔をおいて、S個のリソースからN個の利用可能なリソースを再決定すること
をさらに含む。
【０１１１】
Tは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定されたS個のリソースである。
【０１１２】
この好ましい実施形態では、少なくとも1つのUEに第1のUEによって送信されるデータは、元のデータが廃棄された後に取得された新しいデータであるか、または元のデータである。すなわち、元のデータは事前設定継続時間Tの間遅延された後に送信されるか、または事前設定継続時間Tの後に元のデータは廃棄され、新しいデータが送信される。
【０１１３】
本発明の好ましい実施形態では、第1のUEにより、S個のリソースからN個の利用可能なリソースを決定することの後に、方法は、
第1のUEが第1の事前設定条件を満たすかどうかを判定することと、
第1のUEが第1の事前設定条件を満たす場合、第1のUEにより、N個の利用可能なリソースに応じてM個のリソースを決定すること、または
第1のUEが第1の事前設定条件を満たさない場合、事前設定継続時間Tの間隔をおいて、第1のUEにより、N個の利用可能なリソースに応じてM個のリソースを決定するか、もしくはS個のリソースからN個の利用可能なリソースを再決定し、N個の利用可能なリソースに応じてM個のリソースを決定することと
をさらに含む。
【０１１４】
Tは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定され、第1の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも大きいことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。cは0以上の整数であり、wは正の数であり、Qは優先度を定義するための規則に関係する。このことは本明細書では限定されない。たとえば、優先度レベルが高から低であることを示すために−2、−1、および0が使用される場合があり、または優先度レベルが高から低であることを示すために2、1、および0が使用される場合がある
【０１１５】
たとえば、しきい値aおよびしきい値bは、経験に応じて事前設定された値であり得る。たとえば、しきい値aは5であり、しきい値bは80％である。
【０１１６】
この好ましい実施形態では、少なくとも1つのUEに第1のUEによって送信されるデータは、元のデータが廃棄された後に取得された新しいデータであるか、または元のデータである。すなわち、元のデータは事前設定継続時間Tの間遅延された後に送信されるか、または事前設定継続時間Tの後に元のデータは廃棄され、新しいデータが送信される。
【０１１７】
本発明の好ましい実施形態では、第1のUEにより、事前設定継続時間Tの間隔をおいて、N個の利用可能なリソースに応じてM個のリソースを決定することは、
第1のUEにより、N個の利用可能なリソースからM個のリソースをランダムに選択することと、
第1のUEにより、N個の利用可能なリソースに応じてL個のリソースを取得し、第1のUEにより、L個の利用可能なリソースからM個のリソースをランダムに選択すること、または
第1のUEにより、S個のリソースからN個の利用可能なリソースを再決定し、第1のUEにより、再決定されたN個の利用可能なリソースからM個のリソースをランダムに選択することと
を含む。
【０１１８】
さらに、第1のUEにより、N個の利用可能なリソースに応じてL個のリソースを取得することは、具体的に、
第1のUEにより、事前設定された規則を使用することにより、N個の利用可能なリソース上で動作を実施した後にL個のリソースを取得すること
を含む。たとえば、事前設定された規則を使用することにより、N個の利用可能なリソース上で動作を実施した後にL個のリソースを取得することは、周波数ホッピング公式を使用することにより、計算によってL個のリソースを取得することであり得る。
【０１１９】
本発明の好ましい実施形態では、第1のUEにより、M個のリソースを使用することにより、少なくとも1つの第2のUEにデータを送信することは、第1のUEにより、M個のリソース上で少なくとも1つの第2のUEにデータを送信することを含む。すなわち、第1のUEは、M個のリソースに送信されるべきデータを追加し、少なくとも1つのUEに送信されるべきデータを送信する。
【０１２０】
本発明の好ましい実施形態では、第1のUEにより、M個のリソースを使用することにより、少なくとも1つの第2のUEにデータを送信することは、
第1のUEにより、送信確率Pを決定し、送信確率Pに従ってM個のリソース上で少なくとも1つの第2のUEにデータを送信することであって、送信確率Pが、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定される、送信すること
を含む。
【０１２１】
たとえば、第1のUEが決定された利用可能なリソースから10個のリソースを選択し、決定された送信確率Pが0．5である場合、第1のUEは、確率50％に従って10個のリソース上でデータを送信する。統計データの観点から、発見信号は、実際に2回の送信機会ごとに1回送信される。
【０１２２】
本発明の好ましい実施形態では、第1のUEにより、M個のリソースを使用することにより、少なくとも1つの第2のUEにデータを送信することは、
第1のUEが第2の事前設定条件を満たすかどうかを判定することと、
第1のUEが第2の事前設定条件を満たす場合、第1のUEにより、M個のリソース上で少なくとも1つの第2のUEにデータを送信すること、または
第1のUEが第2の事前設定条件を満たさない場合、第1のUEにより、送信確率Pを決定し、送信確率Pに従ってM個のリソース上で少なくとも1つの第2のUEにデータを送信することと
を含む。
【０１２３】
Pは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定され、第2の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも大きいことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。
【０１２４】
第1のUEは、第1のUEの衝突回数cまたは第1のUEの衝突時間wなどのパラメータに従って、前述の事前設定時間Tおよび送信確率Pを決定する場合があることに留意されたい。
【０１２５】
具体的には、第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも低い場合、事前設定継続時間Tは0である。第1のUEの優先度が比較的高いとき、第1のUEの待機期間は0であり得ることに留意されたい。すなわち、待機期間がなく優先度が高いサービスに対して次のステップを実施することができる。衝突回数cおよび／または衝突時間wが対応するしきい値よりも大きいとき、事前設定継続時間Tは0である。すなわち、極めて長い時間の間リソースを取得していないUEは、待機期間を必要としない場合がある。
【０１２６】
代替として、T＝f（x）である。xはN、N−S、N／S、第1のUEのサービス優先度Q、UEの優先度、（優先度レベル、乱数値、事前設定値、もしくは一定値などの）第1のUEによってカスタマイズされた値、c、w、またはcおよびwの関数g（c，w）のうちの1つであり、xの様々な値はf（x）によって表される様々な関数関係に対応する。たとえば、T＝f1（N）、T＝f2（N｜S）、T＝f3（N−S）、T＝f4（Q）、T＝f5（c）、T＝f6（w）、またはT＝f7（c，w）である。関数とxの値との間の対応関係は、プロトコル内で規定または事前定義される場合がある。本発明は、限定はしないが、以下の関数関係：
単純な線形関係T＝ax＋b、モジュロ関係T＝xmodNt、またはセグメント化マッピング関係を含み、xの1つの値はテーブル検索によって取得されたTの1つの値に対応し、当然、a、b、またはNtなどの関数内のパラメータは、事前定義されたパラメータである。
【０１２７】
加えて、第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも低い場合、送信確率Pは1である。第1のUEの優先度が比較的高いとき、第1のUEの送信確率は100％であることに留意されたい。衝突回数cおよび／または衝突時間wが対応するしきい値よりも大きいとき、送信確率は100％である。すなわち、極めて長い時間の間リソースを取得していないUEは、100％の送信確率を有する。
【０１２８】
代替として、P＝f（x）である。xはN、N−S、N／S、第1のUEのサービス優先度Q、UEの優先度、第1のUEによってカスタマイズされた値、c、w、またはcおよびwの関数g（c，w）のうちの1つであり、xの様々な値はf（x）によって表される様々な関数に対応する。たとえば、T＝f1（N）、T＝f2（N｜S）、T＝f3（N−S）、T＝f4（Q）、T＝f5（c）、P＝f6（w）、またはP＝f7（c，w）である。関数とxの値との間の対応関係は、プロトコル内で規定または事前定義される場合がある。本発明は、限定はしないが、以下の関数関係：
単純な線形関係P＝ax＋b、モジュロ関係P＝xmodNt、またはセグメント化マッピング関係を含み、xの1つの値はテーブル検索によって取得されたPの1つの値に対応し、当然、a、b、またはNtなどの関数内のパラメータは、事前定義されたパラメータである。
【０１２９】
本発明のこの実施形態では、Sは第1のUEに対応する第1のグループ内のUEの数であり、Nは、第1のグループ内にあり、データを送信するUEの数であることに留意されたい。
【０１３０】
代替として、Sは第1のUEの隣接UEの数であり、Nは、第1のUEの隣接UEの中にあり、データを送信するUEの数であり、第1のUEの隣接UEは、第1のUEと直接通信することができるUEである。
【０１３１】
加えて、しきい値m、n、a、b、C0、およびW0などの関連パラメータ、ならびにT＝f（x）およびP＝f（x）に関連するパラメータは、ネットワークカバレージがあるときに基地局によって構成されるパラメータであり、またはネットワークカバレージがないときに事前構成されるパラメータ、たとえば、UEの納入時に設定されるパラメータである。
【０１３２】
本発明の実施形態において提供されるリソース衝突低減方法によれば、第1のUEは、S個のリソースからN個の利用可能なリソースを決定し、N個の利用可能なリソースに応じてM個のリソースを決定し、最後に、M個のリソースを使用することにより、少なくとも1つの第2のUEにデータを送信する。既存のD2D技術によれば、UEは事前設定リソースプール内のリソースをランダムに選択してデータを送信し、様々なUEが同じリソースを先取りするので衝突が発生する。本発明において提供される方法では、各UEは、事前設定リソースを検出し、利用可能なリソースを決定し、次いで、決定された利用可能なリソースに従ってデータを送信する。これにより、UEが別のUEと同じリソースを求めて競合する確率を低減し、送信UEがリソースを先取りするために既存のD2D技術において発生する衝突をある程度低減することができる。
【０１３３】
実施形態2
本発明のこの実施形態は、UEによって実行されるリソース衝突低減方法を提供する。図2に示されたように、方法は以下のステップを含む。
【０１３４】
201．第1のUEが事前設定パラメータを取得する。
【０１３５】
具体的には、事前設定パラメータは、ネットワークカバレージがあるときに基地局によって構成されるか、またはネットワークカバレージがないときに事前構成される。
【０１３６】
202．第1のUEがS個のリソースのうちのZ個のリソースを使用することにより、事前設定パラメータに従って少なくとも1つの第2のUEにデータを送信し、Sは第1のUEによって取得されたリソース構成情報によって示されるリソース数である。
【０１３７】
事前設定パラメータは、第1のUEの衝突回数c、第1のUEの衝突時間w、第1のUEのサービス優先度Q、またはUEの優先度のうちの少なくとも1つであり、Sは1以上の整数であり、ZはS以下の整数であり、cは0以上の整数であり、wは正の数である。
【０１３８】
リソースは、SAリソース、データリソース、および発見リソースであり、少なくとも1つの第2のUEに送信されるデータは、SA、データ、および発見信号である。
【０１３９】
代替として、リソースは、SAリソースプール内のリソース、データリソースプール内のリソース、および発見リソースプール内のリソースであるか、またはある時間期間内に、SA、データ、および発見信号を送信することに利用可能なリソースである。
【０１４０】
S個のリソースは、基地局によって送信されたリソース構成情報によって示される場合がある。ステップ201の前に、第1のUEは基地局によって送信されたリソース構成情報を受信する。加えて、第1のUEはさらに、第1のUEの衝突回数c、第1のUEの衝突時間w、第1のUEのサービス優先度Q、またはUEの優先度のうちの少なくとも1つを取得する必要がある。
【０１４１】
本発明の好ましい実施形態では、S個のリソースのうちのZ個のリソースに従って少なくとも1つの第2のUEにデータを送信することは、
第1のUEにより、S個のリソースからZ個のリソースをランダムに選択し、Z個のリソースを使用することにより、少なくとも1つの第2のUEにデータを送信すること
を含む。
【０１４２】
本発明の好ましい実施形態では、第1のUEにより、S個のリソースのうちのZ個のリソースを使用することにより、事前設定パラメータに従って少なくとも1つの第2のUEにデータを送信することの前に、方法は、
第1のUEにより、リソース構成情報を取得することであって、リソース構成情報がS個のリソースについての情報を含む、取得すること
をさらに含む。
【０１４３】
本発明の好ましい実施形態では、第1のUEにより、S個のリソースを使用することにより、事前設定パラメータに従って少なくとも1つの第2のUEにデータを送信することは、
第1のUEにより、事前設定パラメータに従って事前設定継続時間Tを決定することと、
第1のUEにより、事前設定継続時間Tの間隔をおいて、S個のリソースからZ個のリソースをランダムに決定することと、
Z個のリソース上で少なくとも1つの第2のUEにデータを送信することと
を含む。
【０１４４】
この好ましい実施形態では、少なくとも1つのUEに第1のUEによって送信されるデータは、元のデータが廃棄された後に取得された新しいデータであるか、または元のデータである。すなわち、元のデータは事前設定継続時間Tの間遅延された後に送信されるか、または事前設定継続時間Tの後に元のデータは廃棄され、新しいデータが送信される。
【０１４５】
本発明の好ましい実施形態では、第1のUEにより、S個のリソースを使用することにより、事前設定パラメータに従って少なくとも1つの第2のUEにデータを送信することは、
第1のUEの衝突回数cがしきい値C0よりも小さいかどうか、第1のUEの衝突時間wがしきい値W0よりも小さいかどうか、または、第1のUEのサービス優先度QもしくはUEの優先度がしきい値Q0よりも低いかどうかを判定することと、
第1のUEの衝突回数cがしきい値C0よりも小さいか、第1のUEの衝突時間wがしきい値W0よりも小さいか、または、第1のUEのサービス優先度QもしくはUEの優先度がしきい値Q0よりも低い場合、事前設定パラメータに従って事前設定継続時間Tを決定し、事前設定継続時間Tの間隔でS個のリソースからZ個のリソースをランダムに決定し、Z個のリソース上で少なくとも1つの第2のUEにデータを送信すること、あるいは
第1のUEの衝突回数cがしきい値C0よりも小さくないか、第1のUEの衝突時間wがしきい値W0よりも小さくないか、または、第1のUEのサービス優先度QもしくはUEの優先度がしきい値Q0よりも低くない場合、Z個のリソース上で少なくとも1つの第2のUEにデータを送信することと
を含む。
【０１４６】
この好ましい実施形態では、少なくとも1つのUEに第1のUEによって送信されるデータは、元のデータが廃棄された後に取得された新しいデータであるか、または元のデータである。すなわち、元のデータは事前設定継続時間Tの間遅延された後に送信されるか、または事前設定継続時間Tの後に元のデータは廃棄され、新しいデータが送信される。
【０１４７】
本発明の好ましい実施形態では、第1のUEにより、S個のリソースを使用することにより、事前設定パラメータに従って少なくとも1つの第2のUEにデータを送信することは、
第1のUEにより、事前設定パラメータに従って送信確率Pを決定し、送信確率Pに従ってZ個のリソース上で少なくとも1つの第2のUEにデータを送信すること
を含む。
【０１４８】
本発明の好ましい実施形態では、第1のUEにより、S個のリソースを使用することにより、事前設定パラメータに従って少なくとも1つの第2のUEにデータを送信することは、
第1のUEにより、S個のリソースからZ個のリソースをランダムに決定することと、
第1のUEの衝突回数cがしきい値C0よりも小さいかどうか、第1のUEの衝突時間wがしきい値W0よりも小さいかどうか、または、第1のUEのサービス優先度QもしくはUEの優先度がしきい値Q0よりも低いかどうかを判定することと、
第1のUEの衝突回数cがしきい値C0よりも小さいか、第1のUEの衝突時間wがしきい値W0よりも小さいか、または、第1のUEのサービス優先度QもしくはUEの優先度がしきい値Q0よりも低い場合、事前設定パラメータに従って送信確率Pを決定し、送信確率Pに従ってZ個のリソース上で少なくとも1つの第2のUEにデータを送信すること、あるいは
第1のUEの衝突回数cがしきい値C0よりも小さくないか、第1のUEの衝突時間wがしきい値W0よりも小さくないか、または、第1のUEのサービス優先度QもしくはUEの優先度がしきい値Q0よりも低くない場合、Z個のリソース上で少なくとも1つの第2のUEにデータを送信することと
を含む。
【０１４９】
本発明の好ましい実施形態では、事前設定パラメータに従って事前設定継続時間Tを決定することは、
第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも高いとき、事前設定継続時間Tが0であると決定すること
を含む。第1のUEの優先度が比較的高いとき、第1のUEの待機期間は0であり得ることに留意されたい。すなわち、待機期間がなく優先度が高いサービスに対して次のステップを実施することができる。衝突回数cおよび／または衝突時間wが対応するしきい値よりも大きいとき、事前設定継続時間Tは0である。すなわち、極めて長い時間の間リソースを取得していないUEは、待機期間を必要としない場合がある。
【０１５０】
代替として、事前設定継続時間TはT＝f（x）であるように決定される。xはN、N−S、N／S、第1のUEのサービス優先度Q、第1のUEによってカスタマイズされた値、c、w、またはcおよびwの関数g（c，w）のうちの1つであり、xの様々な値はf（x）によって表される様々な関数関係に対応する。たとえば、T＝f1（N）、T＝f2（N｜S）、T＝f3（N−S）、T＝f4（Q）、T＝f5（c）、T＝f6（w）、またはT＝f7（c，w）である。関数とxの値との間の対応関係は、プロトコル内で規定または事前定義される場合がある。本発明は、限定はしないが、以下の関数関係：
単純な線形関係T＝ax＋b、モジュロ関係T＝xmodNt、またはセグメント化マッピング関係を含み、xの1つの値はテーブル検索によって取得されたTの1つの値に対応し、当然、a、b、またはNtなどの関数内のパラメータは、事前定義されたパラメータである。
【０１５１】
本発明の好ましい実施形態では、事前設定パラメータに従って送信確率Pを決定することは、
第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも高いとき、送信確率Pが1であると決定すること
を含む。第1のUEの優先度が比較的高いとき、第1のUEの送信確率は100％であることに留意されたい。衝突回数cおよび／または衝突時間wが対応するしきい値よりも大きいとき、送信確率は100％である。すなわち、極めて長い時間の間リソースを取得していないUEは、100％の送信確率を有する。
【０１５２】
代替として、送信確率PはP＝f（x）であるように決定される。xはN、N−S、N／S、第1のUEのサービス優先度Q、第1のUEによってカスタマイズされた値、c、w、またはcおよびwの関数g（c，w）のうちの1つであり、xの様々な値はf（x）によって表される様々な関数関係に対応する。たとえば、P＝f1（N）、P＝f2（N｜S）、P＝f3（N−S）、P＝f4（Q）、P＝f5（c）、P＝f6（w）、またはP＝f7（c，w）である。関数とxの値との間の対応関係は、プロトコル内で規定または事前定義される場合がある。本発明は、限定はしないが、以下の関数関係：
単純な線形関係P＝ax＋b、モジュロ関係P＝xmodNt、またはセグメント化マッピング関係を含み、xの1つの値はテーブル検索によって取得されたPの1つの値に対応し、当然、a、b、またはNtなどの関数内のパラメータは、事前定義されたパラメータである。
【０１５３】
加えて、しきい値a、b、C0、およびW0などの関連パラメータ、ならびにT＝f（x）およびP＝f（x）に関連するパラメータは、ネットワークカバレージがあるときに基地局によって構成されるパラメータであるか、またはネットワークカバレージがないときに事前構成されるパラメータ、たとえば、UEの納入時に設定されるパラメータである。
【０１５４】
本発明の実施形態において提供されるリソース衝突低減方法によれば、第1のUEがデータを送信する必要があるとき、第1のUEは、S個のリソースのうちのZ個のリソースを使用することにより、事前設定パラメータに従って少なくとも1つの第2のUEにデータを送信する。事前設定パラメータは、第1のUEの衝突回数c、第1のUEの衝突時間w、第1のUEのサービス優先度Q、またはUEの優先度のうちの少なくとも1つである。既存のD2D技術によれば、UEは、事前設定リソースプール内のリソースをランダムに選択し、様々なUEが同じリソースを先取りするので衝突が発生する。本発明において提供される方法によれば、UEは、UEの衝突回数、UEの衝突時間、またはUEのサービス優先度などのパラメータを参照して、送信確率または待機期間を決定する。様々なUEは、様々な待機期間または送信確率に対応する。これにより、UEが別のUEと同じリソースを求めて競合することをある程度回避し、送信UEがリソースを先取りするためにD2D技術において発生する衝突を効果的に低減することができる。
【０１５５】
実施形態3
本発明のこの実施形態は、リソース衝突低減方法を提供する。図3に示されたように、方法は以下のステップを含む。
【０１５６】
301．第1のUEがデータを送信する必要があるとき、第1のUEがS個のリソースからN個の利用可能なリソースを決定する。
【０１５７】
Sは第1のUEによって取得されたリソース構成情報によって示されるリソース数である。
【０１５８】
具体的には、第1のUEにより、S個のリソースからN個の利用可能なリソースを決定することは、
第1のUEにより、S個のリソースの各々で搬送される信号のエネルギーもしくは電力を検出し、リソース上で搬送される信号のエネルギーがしきい値mよりも小さいか、もしくはリソース上で搬送される信号の電力がしきい値nよりも小さい場合、リソースが利用可能なリソースであると判断すること、または
第1のUEにより、S個のリソースの各々で搬送されるシーケンスを検出し、リソースが事前設定シーケンスを搬送しない場合、リソースが利用可能なリソースであると判断すること
を含む。
【０１５９】
本明細書では、電力はエネルギーを検出時間で割ることによって取得される。すなわち、電力はモーメントに対応する値であり得るし、エネルギーは時間期間に対応する値である必要がある。
【０１６０】
302．第1のUEが、事前設定継続時間Tの間隔をおいて、N個の利用可能なリソースに応じてM個のリソースを決定する。
【０１６１】
事前設定継続時間Tは、第1のUEの衝突回数cがしきい値C0よりも大きいか、または第1のUEの衝突時間wがしきい値W0よりも大きい場合、事前設定継続時間Tが0であることを含む。
【０１６２】
代替として、T＝f（x）である。xはN、N−S、N／S、第1のUEのサービス優先度Q、UEの優先度、第1のUEによってカスタマイズされた値、c、w、またはcおよびwの関数g（c，w）のうちの1つであり、xの様々な値はf（x）によって表される様々な関数関係に対応する。たとえば、T＝f1（N）、T＝f2（N｜S）、T＝f3（N−S）、T＝f4（Q）、T＝f5（c）、P＝f6（w）、またはT＝f7（c，w）である。関数とxの値との間の対応関係は、プロトコル内で規定または事前定義される場合がある。本発明は、限定はしないが、以下の関数関係：
単純な線形関係T＝ax＋b、モジュロ関係T＝xmodNt、またはセグメント化マッピング関係を含み、xの1つの値はテーブル検索によって取得されたTの1つの値に対応し、当然、a、b、またはNtなどの関数内のパラメータは、事前定義されたパラメータである。
【０１６３】
N個の利用可能なリソースに応じてM個のリソースを決定することは、第1のUEにより、N個の利用可能なリソースからM個のリソースをランダムに選択することと、
第1のUEにより、N個の利用可能なリソースに応じてL個のリソースを取得し、第1のUEにより、L個の利用可能なリソースからM個のリソースをランダムに選択すること、または
第1のUEにより、S個のリソースからN個の利用可能なリソースを再決定し、第1のUEにより、再決定されたN個の利用可能なリソースからM個のリソースをランダムに選択することと
を含む。
【０１６４】
303．第1のUEがM個のリソース上で少なくとも1つの第2のUEにデータを送信する。
【０１６５】
本発明のこの実施形態は、リソース衝突低減方法を提供する。図4に示されたように、方法は以下のステップを含む。
【０１６６】
401．第1のUEがデータを送信する必要があるとき、第1のUEがS個のリソースからN個の利用可能なリソースを決定する。
【０１６７】
402．第1のUEが第1の事前設定条件を満たすかどうかを判定する。
【０１６８】
第1の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも高いことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。すなわち、第1の事前設定条件は、Nがしきい値a以上か、N／Sがしきい値b以上か、衝突回数cがしきい値C0よりも大きいか、第1のUEの衝突時間wがしきい値W0よりも大きいか、または、第1のUEのサービス優先度QもしくはUEの優先度がしきい値Q0よりも高いことである。
【０１６９】
第1のUEが第1の事前設定条件を満たす場合、ステップ403が実施され、または第1のUEが第1の事前設定条件を満たさない場合、事前設定継続時間Tの間隔をおいてステップ403が実施される。
【０１７０】
403．第1のUEがN個の利用可能なリソースに応じてM個のリソースを決定する。
【０１７１】
404．第1のUEがM個のリソース上で少なくとも1つの第2のUEにデータを送信する。
【０１７２】
本発明のこの実施形態は、リソース衝突低減方法をさらに提供する。図5に示されたように、方法は以下のステップを含む。
【０１７３】
501．第1のUEがデータを送信する必要があるとき、第1のUEがS個のリソースからN個の利用可能なリソースを決定する。
【０１７４】
502．第1のUEがN個の利用可能なリソースに応じてM個のリソースを決定する。
【０１７５】
503．第1のUEが送信確率Pを決定し、送信確率Pに従ってM個のリソース上で少なくとも1つの第2のUEにデータを送信する。
【０１７６】
第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも小さい場合、送信確率Pは1である。第1のUEの優先度が比較的高いとき、第1のUEの送信確率は100％であることに留意されたい。衝突回数cおよび／または衝突時間wが対応するしきい値よりも大きいとき、送信確率は100％である。すなわち、極めて長い時間の間リソースを取得していないUEは、100％の送信確率を有する。
【０１７７】
代替として、P＝f（x）である。xはN、N−S、N／S、第1のUEのサービス優先度Q、UEの優先度、第1のUEによってカスタマイズされた値、c、w、またはcおよびwの関数g（c，w）のうちの1つであり、xの様々な値はf（x）によって表される様々な関数関係に対応する。たとえば、P＝f1（N）、P＝f2（N｜S）、P＝f3（N−S）、P＝f4（Q）、P＝f5（c）、P＝f6（w）、またはP＝f7（c，w）である。関数とxの値との間の対応関係は、プロトコル内で規定または事前定義される場合がある。本発明は、限定はしないが、以下の関数関係：
単純な線形関係P＝ax＋b、モジュロ関係P＝xmodNt、またはセグメント化マッピング関係を含み、xの1つの値はテーブル検索によって取得されたPの1つの値に対応し、当然、a、b、またはNtなどの関数内のパラメータは、事前定義されたパラメータである。
【０１７８】
本発明のこの実施形態は、リソース衝突低減方法をさらに提供する。図6に示されたように、方法は以下のステップを含む。
【０１７９】
601．第1のUEがデータを送信する必要があるとき、第1のUEがS個のリソースからN個の利用可能なリソースを決定する。
【０１８０】
602．第1のUEがN個の利用可能なリソースに応じてM個のリソースを決定する。
【０１８１】
603．第1のUEが第2の事前設定条件を満たすかどうかを判定する。
【０１８２】
第2の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも高いことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。すなわち、第2の事前設定条件は、Nがしきい値a以上か、N／Sがしきい値b以上か、衝突回数cがしきい値C0よりも大きいか、第1のUEの衝突時間wがしきい値W0よりも大きいか、または、第1のUEのサービス優先度QもしくはUEの優先度がしきい値Q0よりも高いことである。
【０１８３】
第1のUEが第2の事前設定条件を満たす場合、ステップ604が実施され、または第1のUEが第2の事前設定条件を満たさない場合、事前設定継続時間Tの間隔をおいてステップ604が実施される。
【０１８４】
604．第1のUEが送信確率Pを決定し、送信確率Pに従ってM個のリソース上で少なくとも1つの第2のUEにデータを送信する。
【０１８５】
本発明のこの実施形態は、リソース衝突低減方法をさらに提供する。図7に示されたように、方法は以下のステップを含む。
【０１８６】
701．第1のUEがデータを送信する必要があるとき、第1のUEが事前設定継続時間Tの間待機した後にS個のリソースからZ個のリソースをランダムに選択する。
【０１８７】
事前設定継続時間Tは、事前設定パラメータに従って決定される。Sは第1のUEによって取得されたリソース構成情報によって示されるリソース数である。事前設定パラメータは、第1のUEの衝突回数c、第1のUEの衝突時間w、第1のUEのサービス優先度Q、またはUEの優先度のうちの少なくとも1つである。
【０１８８】
702．第1のUEがZ個のリソース上で少なくとも1つの第2のUEにデータを送信する。
【０１８９】
当然、ステップ701の前に、第1のUEはさらに、第1のUEの衝突回数cおよび／または第1のUEの衝突時間wなどの事前設定パラメータを取得する必要がある。
【０１９０】
本発明のこの実施形態は、リソース衝突低減方法をさらに提供する。図8に示されたように、方法は以下のステップを含む。
【０１９１】
801．第1のUEがデータを送信する必要があるとき、第1のUEがS個のリソースからZ個のリソースをランダムに選択する。
【０１９２】
802．第1のUEが事前設定パラメータに従って送信確率Pを決定し、送信確率Pに従ってZ個のリソース上で少なくとも1つの第2のUEにデータを送信する。
【０１９３】
当然、ステップ801の前に、第1のUEはさらに、第1のUEの衝突回数cおよび／または第1のUEの衝突時間wなどの事前設定パラメータを取得する必要がある。
【０１９４】
本発明のこの実施形態は、リソース衝突低減方法をさらに提供する。図9に示されたように、方法は以下のステップを含む。
【０１９５】
901．第1のUEの事前設定パラメータが対応するしきい値を超えるかどうかを判定する。
【０１９６】
具体的には、第1のUEの衝突回数cがしきい値C0よりも小さいかどうか、または第1のUEの衝突時間wがしきい値W0よりも小さいかどうかが判定される。
【０１９７】
第1のUEの事前設定パラメータが対応するしきい値を超える、すなわち、第1のUEの衝突回数cがしきい値C0よりも小さいか、もしくは第1のUEの衝突時間wがしきい値W0よりも小さい場合、ステップ902が実施され、または第1のUEの事前設定パラメータが対応するしきい値を超えない場合、S個のリソースからZ個のリソースがランダムに決定され、Z個のリソース上で少なくとも1つの第2のUEにデータが送信される。
【０１９８】
902．事前設定パラメータに従って事前設定継続時間Tを決定する。
【０１９９】
事前設定パラメータに従って事前設定継続時間Tを決定することは、
第1のUEの衝突回数cがしきい値C0よりも大きいか、または第1のUEの衝突時間wがしきい値W0よりも大きいとき、事前設定継続時間Tが0であると決定すること、さもなければ
事前設定継続時間TがT＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数関係に対応する、決定すること
を含む。
【０２００】
903．事前設定継続時間Tの間隔でS個のリソースからZ個のリソースをランダムに選択し、Z個のリソース上で少なくとも1つの第2のUEにデータを送信する。
【０２０１】
当然、ステップ901の前に、第1のUEはさらに、第1のUEの衝突回数cおよび／または第1のUEの衝突時間wなどの事前設定パラメータを取得する必要がある。
【０２０２】
本発明のこの実施形態は、リソース衝突低減方法をさらに提供する。図10に示されたように、方法は以下のステップを含む。
【０２０３】
1001．第1のUEがS個のリソースからZ個のリソースをランダムに決定する。
【０２０４】
1002．第1のUEの事前設定パラメータが対応するしきい値を超えるかどうかを判定する。
【０２０５】
具体的には、第1のUEの衝突回数cがしきい値C0よりも小さいかどうか、または第1のUEの衝突時間wがしきい値W0よりも小さいかどうかが判定される。
【０２０６】
第1のUEの事前設定パラメータが対応するしきい値を超える、すなわち、第1のUEの衝突回数cがしきい値C0よりも小さいか、または第1のUEの衝突時間wがしきい値W0よりも小さい場合、ステップ1003が実施される。
【０２０７】
1003．第1のUEが事前設定パラメータに従って送信確率Pを決定し、送信確率Pに従ってZ個のリソース上で少なくとも1つの第2のUEにデータを送信する。
【０２０８】
事前設定パラメータに従って送信確率Pを決定することは、
第1のUEの衝突回数cがしきい値C0よりも大きいか、または第1のUEの衝突時間wがしきい値W0よりも大きいとき、送信確率Pが1であると決定すること、さもなければ
送信確率PがP＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数関係に対応する、決定すること
を含む。
【０２０９】
当然、ステップ1001の前に、第1のUEはさらに、第1のUEの衝突回数cおよび／または第1のUEの衝突時間wなどの事前設定パラメータを取得する必要がある。
【０２１０】
実施形態4
本発明のこの実施形態はUE11を提供する。図11に示されたように、UE11は、決定ユニット1101と、送信ユニット1102とを含む。
【０２１１】
決定ユニット1101は、S個のリソースからN個の利用可能なリソースを決定するように構成され、Sは第1のUEによって取得されたリソース構成情報によって示されるリソース数である。
【０２１２】
UEにとって、利用可能なリソースは、リソース上で搬送される信号のエネルギーがしきい値mよりも小さいか、もしくはリソース上で搬送される信号の電力がしきい値nよりも小さいこと、またはリソースが事前設定シーケンスを搬送しないことを示す。リソース上で搬送される信号のエネルギーが極めて低いとき、信号はノイズ信号と考えることができる。代替として、リソース上のシーケンスが、UEに知られたLTEシステムまたはWi−Fiシステムなどのシステムのシーケンスではない場合、リソースは利用可能なリソースと考えられる。
【０２１３】
決定ユニット1101は、N個の利用可能なリソースに応じてM個のリソースを決定するようにさらに構成される。
【０２１４】
送信ユニット1102は、M個のリソースを使用することにより、少なくとも1つの第2のUEにデータを送信するように構成される。
【０２１５】
決定ユニット1101は、具体的に、N個の利用可能なリソースからM個のリソースをランダムに選択するように構成される。
【０２１６】
取得ユニットがさらに含まれる。取得ユニットは、リソース構成情報またはリソース事前構成情報を取得するように構成される。リソース構成情報またはリソース事前構成情報は、S個のリソースについての情報を含む。
【０２１７】
決定ユニット1101は、具体的に、S個のリソースの各々で搬送される信号のエネルギーもしくは電力を検出し、リソース上で搬送される信号のエネルギーがしきい値mよりも小さいか、もしくはリソース上で搬送される信号の電力がしきい値nよりも小さい場合、リソースが利用可能なリソースであると判断すること、または
S個のリソースの各々で搬送されるシーケンスを検出し、リソースが事前設定シーケンスを搬送しない場合、リソースが利用可能なリソースであると判断すること
を行うように構成される。
【０２１８】
決定ユニット1101は、具体的に、S個のリソースからN個のアイドルリソースおよび利用可能なリソースを決定することの後に、事前設定継続時間Tの間隔をおいて、N個の利用可能なリソースに応じてM個のリソースを決定すること、または事前設定継続時間Tの間隔をおいて、S個のリソースからN個の利用可能なリソースを再決定することを行うように構成される。
【０２１９】
決定ユニット1101は、具体的に、S個のリソースからN個の利用可能なリソースを決定することの後に、第1のUEが第1の事前設定条件を満たすかどうかを判定することと、
第1のUEが第1の事前設定条件を満たす場合、N個の第1の時間周波数リソースに応じてM個のリソースを決定すること、または
第1のUEが第1の事前設定条件を満たさない場合、事前設定継続時間Tの間隔をおいて、N個の利用可能なリソースに応じてM個のリソースを決定することと
を行うように構成される。
【０２２０】
第1の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも高いことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。
【０２２１】
さらに、決定ユニットが、事前設定継続時間Tの間隔をおいて、N個の利用可能なリソースに応じてM個のリソースを決定することは、N個の利用可能なリソースからM個のリソースをランダムに選択すること、または
N個の利用可能なリソースに応じてL個のリソースを取得し、第1のUEにより、L個の利用可能なリソースからM個のリソースをランダムに選択すること
を含む。
【０２２２】
さらに、決定ユニットが、N個の利用可能なリソースに応じてL個のリソースを取得することは、具体的に、事前設定された規則を使用することにより、N個の利用可能なリソース上で動作を実施した後にL個のリソースを取得することを含む。
【０２２３】
少なくとも1つのUEに送信ユニット1102によって送信されるデータは、元のデータが廃棄された後に取得された新しいデータであるか、または元のデータである。
【０２２４】
事前設定継続時間Tは、以下の方式で決定される場合がある。
【０２２５】
第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも高い場合、事前設定継続時間Tは0であり、さもなければ
T＝f（x）であり、xはN、N−S、N／S、第1のUEのサービス優先度Q、UEの優先度、第1のUEによってカスタマイズされた値、c、w、またはcおよびwの関数g（c，w）のうちの1つであり、xの様々な値は、f（x）によって表される様々な関数関係に対応する。たとえば、T＝f1（N）、T＝f2（N｜S）、T＝f3（N−S）、T＝f4（Q）、T＝f5（c）、T＝f6（w）、またはT＝f7（c，w）である。関数とxの値との間の対応関係は、プロトコル内で規定または事前定義される場合がある。本発明は、限定はしないが、以下の関数関係：
単純な線形関係T＝ax＋b、モジュロ関係T＝xmodNt、またはセグメント化マッピング関係を含み、xの1つの値はテーブル検索によって取得されたTの1つの値に対応し、当然、a、b、またはNtなどの関数内のパラメータは、事前定義されたパラメータである。
【０２２６】
送信ユニット1102は、具体的に、M個のリソース上で少なくとも1つの第2のUEにデータを送信するように構成される。
【０２２７】
決定ユニット1101は、送信確率Pを決定するようにさらに構成される。
【０２２８】
送信ユニット1102は、具体的に、送信確率Pに従ってM個のリソース上で少なくとも1つの第2のUEにデータを送信するように構成される。
【０２２９】
UEは、判定ユニットをさらに含む。判定ユニットは、第1のUEが第2の事前設定条件を満たすかどうかを判定するように構成される。
【０２３０】
判定ユニットが、第1のUEが第2の事前設定条件を満たすと判定した場合、送信ユニットは、M個のリソース上で少なくとも1つの第2のUEにデータを送信する。
【０２３１】
判定ユニットが、第1のUEが第2の事前設定条件を満たさないと判定した場合、決定ユニット1101は送信確率Pを決定し、送信ユニット1102は、送信確率Pに従ってM個のリソース上で少なくとも1つの第2のUEにデータを送信する。
【０２３２】
第2の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも高いことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。
【０２３３】
送信確率Pは、以下の方式で決定される場合がある。
【０２３４】
第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも高い場合、送信確率Pは1であり、さもなければ
P＝f（x）であり、xはN、N−S、N／S、第1のUEのサービス優先度Q、UEの優先度、第1のUEによってカスタマイズされた値、c、w、またはcおよびwの関数g（c，w）のうちの1つであり、xの様々な値は、f（x）によって表される様々な関数関係に対応する。たとえば、P＝f1（N）、P＝f2（N｜S）、P＝f3（N−S）、P＝f4（Q）、P＝f5（c）、P＝f6（w）、またはP＝f7（c，w）である。関数とxの値との間の対応関係は、プロトコル内で規定または事前定義される場合がある。本発明は、限定はしないが、以下の関数関係：
単純な線形関係P＝ax＋b、モジュロ関係P＝xmodNt、またはセグメント化マッピング関係を含み、xの1つの値はテーブル検索によって取得されたPの1つの値に対応し、当然、a、b、またはNtなどの関数内のパラメータは、事前定義されたパラメータである。
【０２３５】
Sは第1のUEに対応する第1のグループ内のUEの数であり、Nは、第1のグループ内にあり、データを送信するUEの数であることに留意されたい。
【０２３６】
代替として、Sは第1のUEの隣接UEの数であり、Nは、第1のUEの隣接UEの中にあり、データを送信するUEの数であり、第1のUEの隣接UEは、第1のUEと直接通信することができるUEである。
【０２３７】
加えて、リソースは、スケジューリング割当てSAリソース、サービスデータリソース、または発見リソースのうちの少なくとも1つであり、少なくとも1つの第2のUEに送信されるデータは、SA、サービスデータ、または発見信号のうちの少なくとも1つである。
【０２３８】
代替として、リソースは、SAリソースプール内のリソース、サービスデータリソースプール内のリソース、もしくは発見リソースプール内のリソースのうちの少なくとも1つであるか、またはある時間期間内に、SA、サービスデータ、もしくは発見信号のうちの少なくとも1つを送信することに利用可能なリソースである。
【０２３９】
本発明のこの実施形態において提供されるUEは、S個のリソースからN個の利用可能なリソースを決定し、N個の利用可能なリソースに応じてM個のリソースを決定し、最後に、M個のリソースを使用することにより、少なくとも1つの第2のUEにデータを送信する。既存のD2D技術によれば、UEは事前設定リソースプール内のリソースをランダムに選択してデータを送信し、様々なUEが同じリソースを先取りするので衝突が発生する。各UEは、事前設定リソースを検出し、利用可能なリソースを決定し、次いで、決定された利用可能なリソースに従ってデータを送信する。これにより、UEが別のUEと同じリソースを求めて競合する確率を低減し、送信UEがリソースを先取りするために既存のD2D技術において発生する衝突をある程度低減することができる。
【０２４０】
実施形態5
本発明のこの実施形態はUE12を提供する。図12に示されたように、UE12は、取得ユニット1201と、送信ユニット1202とを含む。
【０２４１】
取得ユニット1201は、事前設定パラメータを取得するように構成される。
【０２４２】
送信ユニット1202は、S個のリソースのうちのZ個のリソースを使用することにより、事前設定パラメータに従って少なくとも1つの第2のUEにデータを送信するように構成される。Sは第1のUEによって取得されたリソース構成情報によって示されるリソース数である。
【０２４３】
事前設定パラメータは、第1のUEの衝突回数c、第1のUEの衝突時間w、第1のUEのサービス優先度Q、またはUEの優先度のうちの少なくとも1つである。
【０２４４】
取得ユニット1201は、リソース構成情報を取得するように構成される。リソース構成情報はS個のリソースについての情報を含み、リソース構成情報は基地局によって構成されるか、または事前構成される。
【０２４５】
図12aに示されたように、UE12は決定ユニット1203をさらに含む。
【０２４６】
決定ユニット1203は、事前設定パラメータに従って事前設定継続時間Tを決定し、事前設定継続時間Tの間隔をおいて、S個のリソースからZ個のリソースをランダムに決定するように構成される。
【０２４７】
送信ユニット1202は、Z個のリソース上で少なくとも1つの第2のUEにデータを送信するように構成される。
【０２４８】
Z個のリソース上で少なくとも1つの第2のUEに第1のUEによって送信されるデータは、元のデータが廃棄された後に取得された新しいデータであるか、または元のデータであることに留意されたい。
【０２４９】
図12bに示されたように、UE12は判定ユニット1204をさらに含む。
【０２５０】
判定ユニット1204は、第1のUEの衝突回数cがしきい値C0よりも小さいかどうか、第1のUEの衝突時間wがしきい値W0よりも小さいかどうか、または、第1のUEのサービス優先度QもしくはUEの優先度がしきい値Q0よりも低いかどうかを判定するように構成される。
【０２５１】
決定ユニット1203は、第1のUEの衝突回数cがしきい値C0よりも小さいか、第1のUEの衝突時間wがしきい値W0よりも小さいか、または、第1のUEのサービス優先度QもしくはUEの優先度がしきい値Q0よりも低い場合、事前設定パラメータに従って事前設定継続時間Tを決定し、事前設定継続時間Tの間隔でS個のリソースからZ個のリソースをランダムに決定するように構成される。送信ユニット1202は、Z個のリソース上で少なくとも1つの第2のUEにデータを送信するように構成される。
【０２５２】
送信ユニット1202は、第1のUEの衝突回数cがしきい値C0よりも小さくないか、第1のUEの衝突時間wがしきい値W0よりも小さくないか、または、第1のUEのサービス優先度QもしくはUEの優先度がしきい値Q0よりも低くない場合、Z個のリソース上で少なくとも1つの第2のUEにデータを送信するようにさらに構成される。
【０２５３】
事前設定パラメータに従って事前設定継続時間Tを決定することは、
第1のUEの衝突回数cがしきい値C0よりも大きいか、または第1のUEの衝突時間wがしきい値W0よりも大きいとき、事前設定継続時間Tが0であると決定すること、さもなければ
事前設定継続時間TがT＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数関係に対応する、決定すること
を含む。たとえば、T＝f1（N）、T＝f2（N｜S）、T＝f3（N−S）、T＝f4（Q）、T＝f5（c）、T＝f6（w）、またはT＝f7（c，w）である。関数とxの値との間の対応関係は、プロトコル内で規定または事前定義される場合がある。本発明は、限定はしないが、以下の関数関係：
単純な線形関係T＝ax＋b、モジュロ関係T＝xmodNt、またはセグメント化マッピング関係を含み、xの1つの値はテーブル検索によって取得されたTの1つの値に対応し、当然、a、b、またはNtなどの関数内のパラメータは、事前定義されたパラメータである。
【０２５４】
決定ユニット1203は、事前設定パラメータに従って送信確率Pを決定するように構成される。
【０２５５】
送信ユニット1202は、送信確率Pに従ってZ個のリソース上で少なくとも1つの第2のUEにデータを送信するように構成される。
【０２５６】
決定ユニット1203は、S個のリソースからZ個のリソースをランダムに決定するように構成される。
【０２５７】
判定ユニット1204は、第1のUEの衝突回数cがしきい値C0よりも小さいかどうか、第1のUEの衝突時間wがしきい値W0よりも小さいかどうか、または、第1のUEのサービス優先度QもしくはUEの優先度がしきい値Q0よりも低いかどうかを判定するように構成される。
【０２５８】
決定ユニット1203は、第1のUEの衝突回数cがしきい値C0よりも小さいか、第1のUEの衝突時間wがしきい値W0よりも小さいか、または、第1のUEのサービス優先度QもしくはUEの優先度がしきい値Q0よりも低い場合、事前設定パラメータに従って送信確率Pを決定するように構成される。送信ユニット1202は、送信確率Pに従ってZ個のリソース上で少なくとも1つの第2のUEにデータを送信するように構成される。
【０２５９】
送信ユニットは、第1のUEの衝突回数cがしきい値C0よりも小さくないか、第1のUEの衝突時間wがしきい値W0よりも小さくないか、または、第1のUEのサービス優先度QもしくはUEの優先度がしきい値Q0よりも低くない場合、Z個のリソース上で少なくとも1つの第2のUEにデータを送信するようにさらに構成される。
【０２６０】
特定の実装形態では、事前設定パラメータに従って送信確率Pを決定することは、
第1のUEの衝突回数cがしきい値C0よりも大きいか、または第1のUEの衝突時間wがしきい値W0よりも大きいとき、送信確率Pが1であると決定すること、さもなければ
送信確率PがP＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数関係に対応する、決定すること
を含む。
【０２６１】
本発明のこの実施形態において提供されるUEによれば、第1のUEは、S個のリソースのうちのZ個のリソースを使用することにより、事前設定パラメータに従って少なくとも1つの第2のUEにデータを送信する。事前設定パラメータは、第1のUEの衝突回数c、第1のUEの衝突時間w、第1のUEのサービス優先度Q、またはUEの優先度のうちの少なくとも1つである。既存のD2D技術によれば、UEは、事前設定リソースプール内のリソースをランダムに選択し、様々なUEが同じリソースを先取りするので衝突が発生する。UEは、UEの衝突回数、UEの衝突時間、またはUEのサービス優先度などのパラメータを参照して、送信確率または待機期間を決定する。様々なUEは、様々な待機期間または送信確率に対応する。これにより、UEが別のUEと同じリソースを求めて競合することをある程度回避し、送信UEがリソースを先取りするためにD2D技術において発生する衝突を効果的に低減することができる。
【０２６２】
実施形態6
本発明のこの実施形態はUEを提供する。図13に示されたように、UEは、プロセッサ1301と、システムバス1302と、送信機1303と、メモリ1304とを含む。
【０２６３】
プロセッサ1301は、中央処理装置（英語：central processing unit、略してCPU）であり得る。
【０２６４】
メモリ1304は、プログラムコードを記憶し、プロセッサ1301にプログラムコードを送信するように構成される。プロセッサ1301は、プログラムコードに従って以下の命令を実行する。メモリ1304には、揮発性メモリ（英語：volatile memory）、たとえば、ランダムアクセスメモリ（英語：random−access memory、略してRAM）が含まれる場合がある。メモリ1304には、不揮発性メモリ（英語：non−volatile memory）、たとえば、読取り専用メモリ（英語：read−only memory、略してROM）、フラッシュメモリ（英語：flash memory）、ハードディスクドライブ（英語：hard disk drive、略してHDD）、または半導体ドライブ（英語：solid−state drive、略してSSD）が含まれる場合もある。メモリ1304には、前述のタイプのメモリの組合せがさらに含まれる場合がある。プロセッサ1301、メモリ1304、および送信機1303は、システムバス1302を使用することによって互いに接続され通信する。
【０２６５】
送信機1303は、光トランシーバ、電気トランシーバ、ワイヤレストランシーバ、またはそれらの任意の組合せによって実装される場合がある。たとえば、光トランシーバは、スモールフォームファクタプラグ着脱可能（英語：small form−factor pluggable transceiver、略してSFP）トランシーバ（英語：transceiver）、高度スモールフォームファクタプラグ着脱可能（英語：enhanced small form−factor pluggable、略してSFP＋）トランシーバ、または10ギガビットスモールフォームファクタプラグ着脱可能（英語：10 Gigabit small form−factor pluggable、略してXFP）トランシーバであり得る。電気トランシーバは、イーサネット（英語：Ethernet）（登録商標）ネットワークインターフェースコントローラ（英語：network interface controller、略してNIC）であり得る。ワイヤレストランシーバは、ワイヤレスネットワークインターフェースコントローラ（英語：wireless network interface controller、略してWNIC）であり得る。UEは複数の送信機1303を有する場合がある。
【０２６６】
プロセッサ1301は、S個のリソースからN個の利用可能なリソースを決定することであって、Sが第1のUEによって取得されたリソース構成情報によって示されるリソース数である、決定することと、N個の利用可能なリソースに応じてM個のリソースを決定することとを行うように構成される。
【０２６７】
UEにとって、利用可能なリソースは、リソース上で搬送される信号のエネルギーがしきい値mよりも小さいか、もしくはリソース上で搬送される信号の電力がしきい値nよりも小さいこと、またはリソースが事前設定シーケンスを搬送しないことを示す。リソース上で搬送される信号のエネルギーが極めて低いとき、信号はノイズ信号と考えることができる。代替として、リソース上のシーケンスが、UEに知られたLTEシステムまたはWi−Fiシステムなどのシステムのシーケンスではない場合、リソースは利用可能なリソースと考えられる。
【０２６８】
送信機1303は、M個のリソースを使用することにより、少なくとも1つの第2のUEにデータを送信するように構成される。
【０２６９】
プロセッサ1301は、具体的に、N個の利用可能なリソースからM個のリソースをランダムに選択するように構成される。
【０２７０】
プロセッサ1301は、リソース構成情報またはリソース事前構成情報を取得するように構成される。リソース構成情報またはリソース事前構成情報は、S個のリソースについての情報を含む。
【０２７１】
プロセッサ1301は、具体的に、S個のリソースの各々で搬送される信号のエネルギーもしくは電力を検出し、リソース上で搬送される信号のエネルギーがしきい値mよりも小さいか、もしくはリソース上で搬送される信号の電力がしきい値nよりも小さい場合、リソースが利用可能なリソースであると判断すること、または
S個のリソースの各々で搬送されるシーケンスを検出し、リソースが事前設定シーケンスを搬送しない場合、リソースが利用可能なリソースであると判断すること
を行うように構成される。
【０２７２】
プロセッサ1301は、具体的に、S個のリソースからN個のアイドルリソースおよび利用可能なリソースを決定することの後に、事前設定継続時間Tの間隔をおいて、N個の利用可能なリソースに応じてM個のリソースを決定すること、または事前設定継続時間Tの間隔をおいて、S個のリソースからN個の利用可能なリソースを再決定することを行うように構成される。
【０２７３】
プロセッサ1301は、具体的に、S個のリソースからN個の利用可能なリソースを決定することの後に、第1のUEが第1の事前設定条件を満たすかどうかを判定することと、
第1のUEが第1の事前設定条件を満たす場合、N個の第1の時間周波数リソースに応じてM個のリソースを決定すること、または
第1のUEが第1の事前設定条件を満たさない場合、事前設定継続時間Tの間隔をおいて、N個の利用可能なリソースに応じてM個のリソースを決定することと
を行うように構成される。
【０２７４】
第1の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも高いことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。
【０２７５】
プロセッサ1301が、事前設定継続時間Tの間隔をおいて、N個の利用可能なリソースに応じてM個のリソースを決定することは、N個の利用可能なリソースからM個のリソースをランダムに選択すること、または
N個の利用可能なリソースに応じてL個のリソースを取得し、第1のUEにより、L個の利用可能なリソースからM個のリソースをランダムに選択すること
を含む。
【０２７６】
プロセッサ1301が、N個の利用可能なリソースに応じてL個のリソースを取得することは、具体的に、事前設定された規則を使用することにより、N個の利用可能なリソース上で動作を実施した後にL個のリソースを取得することを含む。
【０２７７】
少なくとも1つのUEに送信機1303によって送信されるデータは、元のデータが廃棄された後に取得された新しいデータであるか、または元のデータである。
【０２７８】
事前設定継続時間Tは以下の方式で決定される場合がある：第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも高い場合、事前設定継続時間Tは0であり、さもなければ
T＝f（x）であり、xはN、N−S、N／S、第1のUEのサービス優先度Q、UEの優先度、第1のUEによってカスタマイズされた値、c、w、またはcおよびwの関数g（c，w）のうちの1つであり、xの様々な値は、f（x）によって表される様々な関数関係に対応する。たとえば、T＝f1（N）、T＝f2（N｜S）、T＝f3（N−S）、T＝f4（Q）、T＝f5（c）、T＝f6（w）、またはT＝f7（c，w）である。関数とxの値との間の対応関係は、プロトコル内で規定または事前定義される場合がある。本発明は、限定はしないが、以下の関数関係：
単純な線形関係T＝ax＋b、モジュロ関係T＝xmodNt、またはセグメント化マッピング関係を含み、xの1つの値はテーブル検索によって取得されたTの1つの値に対応し、当然、a、b、またはNtなどの関数内のパラメータは、事前定義されたパラメータである。
【０２７９】
プロセッサ1301は、具体的に、M個のリソース上で少なくとも1つの第2のUEにデータを送信するように構成される。
【０２８０】
プロセッサ1301は、送信確率Pを決定するようにさらに構成される。
【０２８１】
送信機1303は、具体的に、送信確率Pに従ってM個のリソース上で少なくとも1つの第2のUEにデータを送信するように構成される。
【０２８２】
プロセッサ1301は、第1のUEが第2の事前設定条件を満たすかどうかを判定するように構成される。
【０２８３】
プロセッサ1301が、第1のUEが第2の事前設定条件を満たすと判定した場合、送信ユニットは、M個のリソース上で少なくとも1つの第2のUEにデータを送信する。
【０２８４】
プロセッサ1301が、第1のUEが第2の事前設定条件を満たさないと判定した場合、プロセッサ1301は送信確率Pを決定し、送信機1303は、送信確率Pに従ってM個のリソース上で少なくとも1つの第2のUEにデータを送信する。たとえば、第1のUEが決定された利用可能なリソースから10個のリソースを選択し、決定された送信確率Pが0．5である場合、第1のUEは、確率50％に従って10個のリソース上でデータを送信する。統計データの観点から、発見信号は、実際に2回の送信機会ごとに1回送信される。
【０２８５】
第2の事前設定条件は、N≧a、N／S≧b、Q≧Q0、第1のUEの衝突回数cがC0よりも大きいこと、第1のUEの衝突時間wがW0よりも大きいこと、または、第1のUEのサービス優先度QもしくはUEの優先度がQ0よりも高いことであり、aはリソースのしきい値であり、bは事前設定リソースに対する利用可能なリソースの最小割合であり、C0は衝突回数のしきい値であり、W0は衝突時間のしきい値であり、Q0は優先度のしきい値であり、cは0以上の整数であり、wは正の数である。
【０２８６】
送信確率Pは以下の方式で決定される場合がある：第1のUEの衝突回数cがしきい値C0よりも大きいか、第1のUEの衝突時間wがしきい値W0よりも大きいか、または、第1のUEのサービス優先度QもしくはUEの優先度がしきい値Q0よりも高い場合、送信確率Pは1であり、さもなければ
P＝f（x）であり、xはN、N−S、N／S、第1のUEのサービス優先度Q、UEの優先度、第1のUEによってカスタマイズされた値、c、w、またはcおよびwの関数g（c，w）のうちの1つであり、xの様々な値は、f（x）によって表される様々な関数関係に対応する。
【０２８７】
Sは第1のUEに対応する第1のグループ内のUEの数であり、Nは、第1のグループ内にあり、データを送信するUEの数であることに留意されたい。
【０２８８】
代替として、Sは第1のUEの隣接UEの数であり、Nは、第1のUEの隣接UEの中にあり、データを送信するUEの数であり、第1のUEの隣接UEは、第1のUEと直接通信することができるUEである。
【０２８９】
加えて、リソースは、スケジューリング割当てSAリソース、サービスデータリソース、または発見リソースのうちの少なくとも1つであり、少なくとも1つの第2のUEに送信されるデータは、SA、サービスデータ、または発見信号のうちの少なくとも1つである。
【０２９０】
代替として、リソースは、SAリソースプール内のリソース、サービスデータリソースプール内のリソース、もしくは発見リソースプール内のリソースのうちの少なくとも1つであるか、またはある時間期間内に、SA、サービスデータ、もしくは発見信号のうちの少なくとも1つを送信することに利用可能なリソースである。
【０２９１】
本発明のこの実施形態において提供されるUEは、S個のリソースからN個の利用可能なリソースを決定し、N個の利用可能なリソースに応じてM個のリソースを決定し、最後に、M個のリソースを使用することにより、少なくとも1つの第2のUEにデータを送信する。既存のD2D技術によれば、UEは事前設定リソースプール内のリソースをランダムに選択してデータを送信し、様々なUEが同じリソースを先取りするので衝突が発生する。各UEは、事前設定リソースを検出し、利用可能なリソースを決定し、次いで、決定された利用可能なリソースに従ってデータを送信する。これにより、UEが別のUEと同じリソースを求めて競合する確率を低減し、送信UEがリソースを先取りするために既存のD2D技術において発生する衝突をある程度低減することができる。
【０２９２】
実施形態7
本発明のこの実施形態はUE14を提供する。図14に示されたように、UE14は、プロセッサ1401と、システムバス1402と、送信機1403と、メモリ1404とを含む。
【０２９３】
プロセッサ1401は、中央処理装置（英語：central processing unit、略してCPU）であり得る。
【０２９４】
メモリ1404は、プログラムコードを記憶し、プロセッサ1401にプログラムコードを送信するように構成される。プロセッサ1401は、プログラムコードに従って以下の命令を実行する。メモリ1404には、揮発性メモリ（英語：volatile memory）、たとえば、ランダムアクセスメモリ（英語：random−access memory、略してRAM）が含まれる場合がある。メモリ1404には、不揮発性メモリ（英語：non−volatile memory）、たとえば、読取り専用メモリ（英語：read−only memory、略してROM）、フラッシュメモリ（英語：flash memory）、ハードディスクドライブ（英語：hard disk drive、略してHDD）、または半導体ドライブ（英語：solid−state drive、略してSSD）が含まれる場合もある。メモリ1404には、前述のタイプのメモリの組合せがさらに含まれる場合がある。プロセッサ1401、メモリ1404、および送信機1403は、システムバス1402を使用することによって互いに接続され通信する。
【０２９５】
送信機1403は、光トランシーバ、電気トランシーバ、ワイヤレストランシーバ、またはそれらの任意の組合せによって実装される場合がある。たとえば、光トランシーバは、スモールフォームファクタプラグ着脱可能（英語：small form−factor pluggable transceiver、略してSFP）トランシーバ（英語：transceiver）、高度スモールフォームファクタプラグ着脱可能（英語：enhanced small form−factor pluggable、略してSFP＋）トランシーバ、または10ギガビットスモールフォームファクタプラグ着脱可能（英語：10 Gigabit small form−factor pluggable、略してXFP）トランシーバであり得る。電気トランシーバは、イーサネット（英語：Ethernet）（登録商標）ネットワークインターフェースコントローラ（英語：network interface controller、略してNIC）であり得る。ワイヤレストランシーバは、ワイヤレスネットワークインターフェースコントローラ（英語：wireless network interface controller、略してWNIC）であり得る。STAは複数の送信機1403を有する場合がある。
【０２９６】
プロセッサ1401は、事前設定パラメータを取得するように構成される。
【０２９７】
送信機1403は、S個のリソースのうちのZ個のリソースを使用することにより、事前設定パラメータに従って少なくとも1つの第2のUEにデータを送信するように構成される。Sは第1のUEによって取得されたリソース構成情報によって示されるリソース数である。
【０２９８】
事前設定パラメータは、第1のUEの衝突回数c、第1のUEの衝突時間w、第1のUEのサービス優先度Q、またはUEの優先度のうちの少なくとも1つである。
【０２９９】
プロセッサ1401は、S個のリソースからZ個のリソースをランダムに選択するように構成される。
【０３００】
送信機1401は、Z個のリソースを使用することにより、少なくとも1つの第2のUEにデータを送信するように構成される。
【０３０１】
プロセッサ1401は、リソース構成情報を取得するように構成される。リソース構成情報は、S個のリソースについての情報を含む。
【０３０２】
プロセッサ1401は、事前設定パラメータに従って事前設定継続時間Tを決定し、事前設定継続時間Tの間隔をおいて、S個のリソースからZ個のリソースをランダムに決定するように構成される。
【０３０３】
送信機1403は、Z個のリソース上で少なくとも1つの第2のUEにデータを送信するように構成される。
【０３０４】
Z個のリソース上で少なくとも1つの第2のUEに送信ユニット1403によって送信されるデータは、元のデータが廃棄された後に取得された新しいデータであるか、または元のデータであることに留意されたい。
【０３０５】
プロセッサ1401は、第1のUEの衝突回数cがしきい値C0よりも小さいかどうか、第1のUEの衝突時間wがしきい値W0よりも小さいかどうか、または、第1のUEのサービス優先度QもしくはUEの優先度がしきい値Q0よりも低いかどうかを判定するように構成される。
【０３０６】
プロセッサ1401は、第1のUEの衝突回数cがしきい値C0よりも小さいか、第1のUEの衝突時間wがしきい値W0よりも小さいか、または、第1のUEのサービス優先度QもしくはUEの優先度がしきい値Q0よりも低い場合、プロセッサ1401が事前設定パラメータに従って事前設定継続時間Tを決定し、送信機1403が事前設定継続時間Tの間隔でS個のリソースからZ個のリソースをランダムに決定するように構成される。送信機1403は、Z個のリソース上で少なくとも1つの第2のUEにデータを送信するように構成される。
【０３０７】
送信機1403は、第1のUEの衝突回数cがしきい値C0よりも小さくないか、第1のUEの衝突時間wがしきい値W0よりも小さくないか、または、第1のUEのサービス優先度QもしくはUEの優先度がしきい値Q0よりも低くない場合、Z個のリソース上で少なくとも1つの第2のUEにデータを送信するようにさらに構成される。
【０３０８】
特定の実装形態では、事前設定パラメータに従って事前設定継続時間Tを決定することは、
第1のUEの衝突回数cがしきい値C0よりも大きいか、または第1のUEの衝突時間wがしきい値W0よりも大きいとき、事前設定継続時間Tが0であると決定すること、さもなければ
事前設定継続時間TがT＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数関係に対応する、決定すること
を含む。たとえば、T＝f1（N）、T＝f2（N｜S）、T＝f3（N−S）、T＝f4（Q）、T＝f5（c）、T＝f6（w）、またはT＝f7（c，w）である。関数とxの値との間の対応関係は、プロトコル内で規定または事前定義される場合がある。本発明は、限定はしないが、以下の関数関係：
単純な線形関係T＝ax＋b、モジュロ関係T＝xmodNt、またはセグメント化マッピング関係を含み、xの1つの値はテーブル検索によって取得されたTの1つの値に対応し、当然、a、b、またはNtなどの関数内のパラメータは、事前定義されたパラメータである。
【０３０９】
プロセッサ1401は、事前設定パラメータに従って送信確率Pを決定するように構成される。
【０３１０】
送信機1401は、送信確率Pに従ってZ個のリソース上で少なくとも1つの第2のUEにデータを送信するように構成される。たとえば、第1のUEが決定された利用可能なリソースから10個のリソースを選択し、決定された送信確率Pが0．5である場合、第1のUEは、確率50％に従って10個のリソース上でデータを送信する。統計データの観点から、発見信号は、実際に2回の送信機会ごとに1回送信される。
【０３１１】
プロセッサ1401は、S個のリソースからZ個のリソースをランダムに決定するように構成される。
【０３１２】
プロセッサ1401は、第1のUEの衝突回数cがしきい値C0よりも小さいかどうか、第1のUEの衝突時間wがしきい値W0よりも小さいかどうか、または、第1のUEのサービス優先度QもしくはUEの優先度がしきい値Q0よりも低いかどうかを判定するように構成される。
【０３１３】
プロセッサ1401は、第1のUEの衝突回数cがしきい値C0よりも小さいか、第1のUEの衝突時間wがしきい値W0よりも小さいか、または、第1のUEのサービス優先度QもしくはUEの優先度がしきい値Q0よりも低い場合、事前設定パラメータに従って送信確率Pを決定するように構成される。送信機1403は、送信確率Pに従ってZ個のリソース上で少なくとも1つの第2のUEにデータを送信するように構成される。
【０３１４】
送信機1403は、第1のUEの衝突回数cがしきい値C0よりも小さくないか、第1のUEの衝突時間wがしきい値W0よりも小さくないか、または、第1のUEのサービス優先度QもしくはUEの優先度がしきい値Q0よりも低くない場合、Z個のリソース上で少なくとも1つの第2のUEにデータを送信するようにさらに構成される。
【０３１５】
特定の実装形態では、事前設定パラメータに従って送信確率Pを決定することは、
第1のUEの衝突回数cがしきい値C0よりも大きいか、または第1のUEの衝突時間wがしきい値W0よりも大きいとき、送信確率Pが1であると決定すること、さもなければ
送信確率PがP＝f（x）であると決定することであって、xがN、N−S、N／S、第1のUEのサービス優先度Q、第1のUEによってカスタマイズされた値、c、w、またはcおよびwの関数g（c，w）のうちの1つであり、xの様々な値がf（x）によって表される様々な関数関係に対応する、決定すること
を含む。
【０３１６】
本発明のこの実施形態において提供されるUEによれば、第1のUEは、S個のリソースのうちのZ個のリソースを使用することにより、事前設定パラメータに従って少なくとも1つの第2のUEにデータを送信する。事前設定パラメータは、第1のUEの衝突回数c、第1のUEの衝突時間w、第1のUEのサービス優先度Q、またはUEの優先度のうちの少なくとも1つである。既存のD2D技術によれば、UEは、事前設定リソースプール内のリソースをランダムに選択し、様々なUEが同じリソースを先取りするので衝突が発生する。UEは、UEの衝突回数、UEの衝突時間、またはUEのサービス優先度などのパラメータを参照して、送信確率または待機期間を決定する。様々なUEは、様々な待機期間または送信確率に対応する。これにより、UEが別のUEと同じリソースを求めて競合することをある程度回避し、送信UEがリソースを先取りするためにD2D技術において発生する衝突を効果的に低減することができる。
【０３１７】
実装形態についての前述の説明により、当業者が、便利で簡潔な説明のために、前述の機能モジュールの分割が説明用の例として見なされることを理解することが可能になる。実際の用途では、前述の機能は、様々な機能モジュールに割り振られ、要件に応じて実装することができ、すなわち、装置の内部構造は、上述された機能のすべてまたは一部を実装するために、様々な機能モジュールに分割される。前述の装置の詳細な動作プロセスについては、前述の方法実施形態において対応するプロセスを参照されたい詳細は本明細書では再び記載されない。
【０３１８】
別々の部分として記載されたユニットは、物理的に分かれている場合も、分かれていない場合もあり、ユニットとして表示された部分は、1つもしくは複数の物理ユニットである場合があり、1つの場所に位置する場合があるか、または様々な場所に分散される場合がある。ユニットの一部またはすべては、実施形態の解決策の目的を達成するために、実際の要件に応じて選択される場合がある。加えて、本発明の実施形態における機能ユニットは1つの処理ユニットに統合される場合があり、またはユニットの各々は物理的に単独で存在する場合があり、または2つ以上のユニットは1つのユニットに統合される場合がある。統合ユニットは、ハードウェアの形態で実装される場合があるか、またはソフトウェア機能ユニットの形態で実装される場合がある。
【０３１９】
統合ユニットがソフトウェア機能ユニットの形態で実装され、独立した製品として販売または使用されるとき、統合ユニットは可読記憶媒体に記憶される場合がある。そのような理解に基づいて、本発明の技術的解決策は本質的に、または従来技術に寄与する部分は、または技術的解決策のうちのすべてもしくは一部は、ソフトウェア製品の形態で実装される場合がある。ソフトウェア製品は、記憶媒体に記憶され、本発明の実施形態に記載された方法のステップのうちのすべてまたはいくつかを実施するように、（シングルチップマイクロコンピュータ、チップなどであり得る）デバイスまたはプロセッサ（processor）に命令するためのいくつかの命令を含む。前述の記憶媒体には、USBフラッシュドライブ、リムーバブルハードディスク、読取り専用メモリ（ROM、Read−Only Memory）、ランダムアクセスメモリ（RAM、Random Access Memory）、磁気ディスク、または光ディスクなどの、プログラムコードを記憶することができる任意の媒体が含まれる。
【０３２０】
前述の説明は、本発明の特定の実装形態にすぎず、本発明の保護範囲を限定するものではない。本発明において開示された技術的範囲内で当業者が容易に考え付くいかなる変形または置換も、本発明の保護範囲内に入るべきである。したがって、本発明の保護範囲は、特許請求の範囲の保護範囲に従うべきである。
【符号の説明】
【０３２１】
11  UE
12  UE
13  UE
14  UE
1101  決定ユニット
1102  送信ユニット
1201  取得ユニット
1202  送信ユニット
1203  決定ユニット
1204  判定ユニット
1301  プロセッサ
1302  システムバス
1303  送信機
1304  メモリ
1401  送信機、プロセッサ
1402  システムバス
1403  送信機、送信ユニット
1404  メモリ
【図１】
2018527824.tif 000003
【図２】
2018527824.tif 000004
【図３】
2018527824.tif 000005
【図４】
2018527824.tif 000006
【図５】
2018527824.tif 000007
【図６】
2018527824.tif 000008
【図７】
2018527824.tif 000009
【図８】
2018527824.tif 000010
【図９】
2018527824.tif 000011
【図１０】
2018527824.tif 000012
【図１１】
2018527824.tif 000013
【図１２】
2018527824.tif 000014
【図１２ａ】
2018527824.tif 000015
【図１２ｂ】
2018527824.tif 000016
【図１３】
2018527824.tif 000017
【図１４】
2018527824.tif 000018
【手続補正書】
【提出日】平成30年3月27日(2018.3.27)
【手続補正１】
【補正対象書類名】特許請求の範囲
【補正対象項目名】全文
【補正方法】変更
【補正の内容】
【特許請求の範囲】
【請求項１】
リソース衝突低減方法であって、
第1のユーザ機器（UE）により、S個のリソースからN個の利用可能なリソースを決定するステップであって、Sが前記第1のUEによって取得されたリソース構成情報によって示されるリソース数である、ステップと、
前記第1のUEにより、前記N個の利用可能なリソースに応じてM個のリソースを決定するステップと、
前記第1のUEにより、前記M個のリソースを使用することにより、少なくとも1つの第2のUEにデータを送信するステップと
を備え、
Sが1以上の整数であり、Nが0以上S以下の整数であり、Mが0以上N以下の整数である、
リソース衝突低減方法。
【請求項２】
前記第1のUEにより、前記N個の利用可能なリソースに応じてM個のリソースを決定する前記ステップが、
前記第1のUEにより、前記N個の利用可能なリソースから前記M個のリソースをランダムに選択するステップ
を備える、請求項1に記載の方法。
【請求項３】
第1のUEにより、S個のリソースからN個の利用可能なリソースを決定する前記ステップの前に、前記方法が、
前記第1のUEにより、前記リソース構成情報を取得するステップであって、前記リソース構成情報が前記S個のリソースについての情報を備え、前記リソース構成情報が基地局によって構成されるか、または事前構成される、ステップ
をさらに備える、請求項1に記載の方法。
【請求項４】
第1のUEにより、S個のリソースからN個の利用可能なリソースを決定する前記ステップが、
前記第1のUEにより、前記S個のリソースの各々で搬送される信号のエネルギーもしくは電力を検出し、前記リソース上で搬送される前記信号の前記エネルギーがしきい値mよりも小さいか、もしくは前記リソース上で搬送される前記信号の前記電力がしきい値nよりも小さい場合、前記リソースが前記利用可能なリソースであると判断するステップであって、mおよびnが正の数である、ステップ、または
前記第1のUEにより、前記S個のリソースの各々で搬送されるシーケンスを検出し、前記リソースが事前設定シーケンスを搬送しない場合、前記リソースが前記利用可能なリソースであると判断するステップ
を備える、請求項1に記載の方法。
【請求項５】
第1のUEにより、S個のリソースからN個の利用可能なリソースを決定する前記ステップの後に、前記方法が、
前記第1のUEが第1の事前設定条件を満たすかどうかを判定するステップと、
前記第1のUEが前記第1の事前設定条件を満たす場合、前記第1のUEにより、前記N個の利用可能なリソースに応じて前記M個のリソースを決定するステップ、または
前記第1のUEが前記第1の事前設定条件を満たさない場合、事前設定継続時間Tの間隔をおいて、前記第1のUEにより、前記N個の利用可能なリソースに応じて前記M個のリソースを決定するか、もしくは前記S個のリソースからN個の利用可能なリソースを再決定し、前記N個の利用可能なリソースに応じて前記M個のリソースを決定するステップと
をさらに備え、
Tが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定され、前記第1の事前設定条件が、N≧a、N／S≧b、Q≧Q0、前記第1のUEの前記衝突回数cがC0よりも大きいこと、前記第1のUEの前記衝突時間wがW0よりも大きいこと、または、前記第1のUEの前記サービス優先度Qもしくは前記第1のUEの前記優先度がQ0よりも大きいことであり、aがリソースのしきい値であり、bが事前設定リソースに対する前記利用可能なリソースの最小割合であり、C0が前記衝突回数のしきい値であり、W0が衝突時間のしきい値であり、Q0が優先度のしきい値であり、cが0以上の整数であり、wが正の数である、
請求項1に記載の方法。
【請求項６】
Sが第1のグループ内のUEの数に対応し、Nが、前記第1のグループ内にあり、データを送信するUEの数に対応するか、または
Sが前記第1のUEの隣接UEの数に対応し、Nが、前記第1のUEの前記隣接UEの中にあり、データを送信するUEの数に対応し、前記第1のUEの前記隣接UEが、前記第1のUEと直接通信することができるUEである、
請求項1に記載の方法。
【請求項７】
前記リソースが、スケジューリング割当て（SA）リソース、サービスデータリソース、または発見リソースのうちの少なくとも1つであり、前記少なくとも1つの第2のUEに送信される前記データが、SA、サービスデータ、または発見信号のうちの少なくとも1つである、
請求項1に記載の方法。
【請求項８】
前記リソースが、SAリソースプール内のリソース、サービスデータリソースプール内のリソース、もしくは発見リソースプール内のリソースのうちの少なくとも1つであるか、またはある時間期間内に、SA、サービスデータ、もしくは発見信号のうちの少なくとも1つを送信することに利用可能なリソースである、
請求項1に記載の方法。
【請求項９】
リソース衝突低減方法であって、
第1のユーザ機器（UE）により、事前設定パラメータを取得するステップと、
前記第1のUEにより、S個のリソースのうちのZ個のリソースを使用することにより、前記事前設定パラメータに従って少なくとも1つの第2のUEにデータを送信するステップであって、Sが前記第1のUEによって取得されたリソース構成情報によって示されるリソース数である、ステップと
を備え、
前記事前設定パラメータが、前記第1のUEの衝突回数c、前記第1のUEの衝突時間w、前記第1のUEのサービス優先度Q、または前記第1のUEの優先度のうちの少なくとも1つであり、Sが1以上の整数であり、ZがS以下の整数であり、cが0以上の整数であり、wが正の数である、
方法。
【請求項１０】
前記第1のUEにより、S個のリソースのうちのZ個のリソースを使用することにより、前記事前設定パラメータに従って少なくとも1つの第2のUEにデータを送信する前記ステップの前に、前記方法が、
前記第1のUEにより、前記リソース構成情報を取得するステップであって、前記リソース構成情報が前記S個のリソースについての情報を備え、前記リソース構成情報が基地局によって構成されるか、または事前構成される、ステップ
をさらに備える、請求項9に記載の方法。
【請求項１１】
前記第1のUEにより、S個のリソースのうちのZ個のリソースを使用することにより、前記事前設定パラメータに従って少なくとも1つの第2のUEにデータを送信する前記ステップが、
前記第1のUEの前記衝突回数cがしきい値C0よりも小さいかどうか、前記第1のUEの前記衝突時間wがしきい値W0よりも小さいかどうか、または、前記第1のUEの前記サービス優先度Qもしくは前記UEの前記優先度がしきい値Q0よりも低いかどうかを判定するステップと、
前記第1のUEの前記衝突回数cが前記しきい値C0よりも小さいか、前記第1のUEの前記衝突時間wが前記しきい値W0よりも小さいか、または、前記第1のUEの前記サービス優先度Qもしくは前記UEの前記優先度が前記しきい値Q0よりも低い場合、前記事前設定パラメータに従って事前設定継続時間Tを決定し、前記事前設定継続時間Tの間隔で前記S個のリソースから前記Z個のリソースをランダムに決定し、前記Z個のリソース上で前記少なくとも1つの第2のUEに前記データを送信するステップ、あるいは
前記第1のUEの前記衝突回数cが前記しきい値C0よりも小さくないか、前記第1のUEの前記衝突時間wが前記しきい値W0よりも小さくないか、または、前記第1のUEの前記サービス優先度Qもしくは前記第1のUEの前記優先度が前記しきい値Q0よりも低くない場合、前記Z個のリソース上で前記少なくとも1つの第2のUEに前記データを送信するステップと
を備える、請求項9に記載の方法。
【請求項１２】
前記第1のUEにより、S個のリソースのうちのZ個のリソースを使用することにより、前記事前設定パラメータに従って少なくとも1つの第2のUEにデータを送信する前記ステップが、
前記第1のUEにより、前記S個のリソースから前記Z個のリソースをランダムに決定するステップと、
前記第1のUEの前記衝突回数cがしきい値C0よりも小さいかどうか、前記第1のUEの前記衝突時間wがしきい値W0よりも小さいかどうか、または、前記第1のUEの前記サービス優先度Qもしくは前記UEの前記優先度がしきい値Q0よりも低いかどうかを判定するステップと、
前記第1のUEの前記衝突回数cが前記しきい値C0よりも小さいか、前記第1のUEの前記衝突時間wが前記しきい値W0よりも小さいか、または、前記第1のUEの前記サービス優先度Qもしくは前記UEの前記優先度が前記しきい値Q0よりも低い場合、前記事前設定パラメータに従って送信確率Pを決定し、前記送信確率Pに従って前記Z個のリソース上で前記少なくとも1つの第2のUEに前記データを送信するステップ、あるいは
前記第1のUEの前記衝突回数cが前記しきい値C0よりも小さくないか、前記第1のUEの前記衝突時間wが前記しきい値W0よりも小さくないか、または、前記第1のUEの前記サービス優先度Qもしくは前記第1のUEの前記優先度が前記しきい値Q0よりも低くない場合、前記Z個のリソース上で前記少なくとも1つの第2のUEに前記データを送信するステップと
を備える、請求項9に記載の方法。
【請求項１３】
ユーザ機器（UE）であって、
S個のリソースからN個の利用可能なリソースを決定するように構成された決定ユニットであって、Sが第1のUEによって取得されたリソース構成情報によって示されるリソース数であり、
前記N個の利用可能なリソースに応じてM個のリソースを決定するようにさらに構成される、
決定ユニットと、
前記M個のリソースを使用することにより、少なくとも1つの第2のUEにデータを送信するように構成された送信ユニットと
を備え、
Sが1以上の整数であり、Nが0以上S以下の整数であり、Mが0以上N以下の整数である、
UE。
【請求項１４】
前記決定ユニットが、具体的に、前記N個の利用可能なリソースから前記M個のリソースをランダムに選択するように構成される、請求項13に記載のUE。
【請求項１５】
取得ユニットをさらに備え、
前記取得ユニットが、前記リソース構成情報を取得するように構成され、前記リソース構成情報が前記S個のリソースについての情報を備え、前記リソース構成情報が基地局によって構成されるか、または事前構成される、
請求項13に記載のUE。
【請求項１６】
前記決定ユニットが、具体的に、前記S個のリソースの各々で搬送される信号のエネルギーもしくは電力を検出し、前記リソース上で搬送される前記信号の前記エネルギーがしきい値mよりも小さいか、もしくは前記リソース上で搬送される前記信号の前記電力がしきい値nよりも小さい場合、前記リソースが前記利用可能なリソースであると判断することであって、mおよびnが正の数である、判断すること、または
前記S個のリソースの各々で搬送されるシーケンスを検出し、前記リソースが事前設定シーケンスを搬送しない場合、前記リソースが前記利用可能なリソースであると判断すること
を行うように構成される、請求項13に記載のUE。
【請求項１７】
前記決定ユニットが、具体的に、前記S個のリソースから前記N個の利用可能なリソースを決定することの後に、前記第1のUEが第1の事前設定条件を満たすかどうかを判定することと、
前記第1のUEが前記第1の事前設定条件を満たす場合、前記N個の第1の時間周波数リソースに応じて前記M個のリソースを決定すること、または
前記第1のUEが前記第1の事前設定条件を満たさない場合、事前設定継続時間Tの間隔をおいて、前記N個の利用可能なリソースに応じて前記M個のリソースを決定するか、もしくは前記S個のリソースからN個の利用可能なリソースを再決定し、前記N個の利用可能なリソースに応じて前記M個のリソースを決定することと
を行うように構成され、
Tが、利用可能なリソースの数N、利用できないリソースの数N−S、前記利用可能なリソースの割合N／S、前記第1のUEの衝突回数c、衝突時間w、前記第1のUEのサービス優先度Q、または前記第1のUEの優先度のうちの少なくとも1つに応じて決定され、前記第1の事前設定条件が、N≧a、N／S≧b、Q≧Q0、前記第1のUEの前記衝突回数cがC0よりも大きいこと、前記第1のUEの前記衝突時間wがW0よりも大きいこと、または、前記第1のUEの前記サービス優先度Qもしくは前記第1のUEの前記優先度がQ0よりも大きいことであり、aがリソースのしきい値であり、bが事前設定リソースに対する前記利用可能なリソースの最小割合であり、C0が前記衝突回数のしきい値であり、W0が衝突時間のしきい値であり、Q0が優先度のしきい値であり、cが0以上の整数であり、wが正の数である、
請求項13に記載のUE。
【請求項１８】
Sが前記第1のUEに対応する第1のグループ内のUEの数に対応し、Nが、前記第1のグループ内にあり、データを送信するUEの数に対応するか、または
Sが前記第1のUEの隣接UEの数に対応し、Nが、前記第1のUEの前記隣接UEの中にあり、データを送信するUEの数に対応し、前記第1のUEの前記隣接UEが、前記第1のUEと直接通信することができるUEである、
請求項13に記載のUE。
【請求項１９】
前記リソースが、スケジューリング割当て（SA）リソース、サービスデータリソース、または発見リソースのうちの少なくとも1つであり、前記少なくとも1つの第2のUEに送信される前記データが、SA、サービスデータ、または発見信号のうちの少なくとも1つである、請求項13に記載のUE。
【請求項２０】
前記リソースが、SAリソースプール内のリソース、サービスデータリソースプール内のリソース、もしくは発見リソースプール内のリソースのうちの少なくとも1つであるか、またはある時間期間内に、SA、サービスデータ、もしくは発見信号のうちの少なくとも1つを送信することに利用可能なリソースである、請求項13に記載のUE。
【請求項２１】
コンピュータによって実行されるときに請求項１から１２の何れか１項の方法を前記コンピュータに実行させる命令を具備する、コンピュータ読み出し可能な格納媒体。
【手続補正２】
【補正対象書類名】明細書
【補正対象項目名】０００１
【補正方法】変更
【補正の内容】
【０００１】
本発明は、通信分野に関し、詳細には、リソース衝突低減方法およびユーザ機器（User Equipment、UE）に関する。
【手続補正３】
【補正対象書類名】明細書
【補正対象項目名】０００３
【補正方法】変更
【補正の内容】
【０００３】
D2D技術では、基地局が比較的強い耐干渉性を有することを考慮して、ロングタームエボリューションアドバンスト（Long Term Evolution−Advanced、LTE−A）システムのアップリンクスペクトルリソースが多重化される。現在、D2Dデバイス通信には2つのリソース割振りモードが存在する。一方は基地局のスケジューリングに基づく方式であり、他方は競合ベース方式であり、すなわち、データまたはシグナリングを送信する必要があるUEは、競合方式でリソースプールから、データまたはシグナリングを送信するための時間周波数リソースを取得する。
【手続補正４】
【補正対象書類名】明細書
【補正対象項目名】０００４
【補正方法】変更
【補正の内容】
【０００４】
競合方式に基づく既存のリソース割振り機構では、UEはリソースプール（すなわち、基地局によって構成されるか、または事前構成され、D2Dに使用されるリソース）からいくつかのリソースをランダムに選択し、次いで、基地局によって構成されるか、または事前構成された確率Pに基づいて、ランダムに選択されたリソース上で発見信号を送信する。たとえば、UE1は、リソースプールから2つのPRB（物理リソースブロック、Physical Resource Block）をランダムに選択し、基地局によって事前構成された確率Pは0．5である。この場合、UE1は、50％の確率に従って2つのPRB上で発見信号を送信する。統計的確率の観点から、発見信号は、実際に2回の送信機会ごとに1回送信される。
【手続補正５】
【補正対象書類名】明細書
【補正対象項目名】００８７
【補正方法】変更
【補正の内容】
【００８７】
D2D通信モードでは、デバイスは通信のために直接接続され、直接通信は端末間で実施される場合があり、転送のために基地局が必要とされない。したがって、基地局のデータ負荷を低減することができ、スペクトルリソースをより良く利用することができ、スペクトル利用率およびデータレートを上げることができる。D2D技術では、基地局が比較的強い耐干渉性を有することを考慮して、各UEは、LTE−Aシステムのアップリンクスペクトルリソースを多重化する。
【手続補正６】
【補正対象書類名】明細書
【補正対象項目名】００９９
【補正方法】変更
【補正の内容】
【００９９】
特定の実装形態では、UEは、事前設定時間期間内に、または事前設定リソース範囲内で、S個のリソースを検出して利用可能なリソースを決定する。事前設定時間期間は、SA期間、discovery（発見）期間、またはdata（サービスデータ）期間などの、少なくとも1つのサイドリンク（Sidelink、SL）期間であり得る。事前設定時間期間および／または事前設定リソース範囲は、事前構成されるか、またはネットワークカバレージがあるシナリオにおいて基地局によって構成される。
【手続補正７】
【補正対象書類名】明細書
【補正対象項目名】０１１１
【補正方法】変更
【補正の内容】
【０１１１】
Tは、利用可能なリソースの数N、利用できないリソースの数N−S、利用可能なリソースの割合N／S、第1のUEの衝突回数c、衝突時間w、第1のUEのサービス優先度Q、または第1のUEの優先度のうちの少なくとも1つに応じて決定される。
【手続補正８】
【補正対象書類名】明細書
【補正対象項目名】０２６３
【補正方法】変更
【補正の内容】
【０２６３】
プロセッサ1301は、中央処理装置（central processing unit、CPU）であり得る。
【手続補正９】
【補正対象書類名】明細書
【補正対象項目名】０２６４
【補正方法】変更
【補正の内容】
【０２６４】
メモリ1304は、プログラムコードを記憶し、プロセッサ1301にプログラムコードを送信するように構成される。プロセッサ1301は、プログラムコードに従って以下の命令を実行する。メモリ1304には、揮発性メモリ（volatile memory）、たとえば、ランダムアクセスメモリ（random−access memory、RAM）が含まれる場合がある。メモリ1304には、不揮発性メモリ（non−volatile memory）、たとえば、読取り専用メモリ（read−only memory、ROM）、フラッシュメモリ（flash memory）、ハードディスクドライブ（hard disk drive、HDD）、または半導体ドライブ（solid−state drive、SSD）が含まれる場合もある。メモリ1304には、前述のタイプのメモリの組合せがさらに含まれる場合がある。プロセッサ1301、メモリ1304、および送信機1303は、システムバス1302を使用することによって互いに接続され通信する。
【手続補正１０】
【補正対象書類名】明細書
【補正対象項目名】０２６５
【補正方法】変更
【補正の内容】
【０２６５】
送信機1303は、光トランシーバ、電気トランシーバ、ワイヤレストランシーバ、またはそれらの任意の組合せによって実装される場合がある。たとえば、光トランシーバは、スモールフォームファクタプラグ着脱可能（small form−factor pluggable transceiver、SFP）トランシーバ（transceiver）、高度スモールフォームファクタプラグ着脱可能（enhanced small form−factor pluggable、SFP＋）トランシーバ、または10ギガビットスモールフォームファクタプラグ着脱可能（10 Gigabit small form−factor pluggable、XFP）トランシーバであり得る。電気トランシーバは、イーサネット（Ethernet）（登録商標）ネットワークインターフェースコントローラ（network interface controller、NIC）であり得る。ワイヤレストランシーバは、ワイヤレスネットワークインターフェースコントローラ（wireless network interface controller、WNIC）であり得る。UEは複数の送信機1303を有する場合がある。
【手続補正１１】
【補正対象書類名】明細書
【補正対象項目名】０２９３
【補正方法】変更
【補正の内容】
【０２９３】
プロセッサ1401は、中央処理装置（central processing unit、CPU）であり得る。
【手続補正１２】
【補正対象書類名】明細書
【補正対象項目名】０２９４
【補正方法】変更
【補正の内容】
【０２９４】
メモリ1404は、プログラムコードを記憶し、プロセッサ1401にプログラムコードを送信するように構成される。プロセッサ1401は、プログラムコードに従って以下の命令を実行する。メモリ1404には、揮発性メモリ（volatile memory）、たとえば、ランダムアクセスメモリ（random−access memory、RAM）が含まれる場合がある。メモリ1404には、不揮発性メモリ（non−volatile memory）、たとえば、読取り専用メモリ（read−only memory、ROM）、フラッシュメモリ（flash memory）、ハードディスクドライブ（hard disk drive、HDD）、または半導体ドライブ（solid−state drive、SSD）が含まれる場合もある。メモリ1404には、前述のタイプのメモリの組合せがさらに含まれる場合がある。プロセッサ1401、メモリ1404、および送信機1403は、システムバス1402を使用することによって互いに接続され通信する。
【手続補正１３】
【補正対象書類名】明細書
【補正対象項目名】０２９５
【補正方法】変更
【補正の内容】
【０２９５】
送信機1403は、光トランシーバ、電気トランシーバ、ワイヤレストランシーバ、またはそれらの任意の組合せによって実装される場合がある。たとえば、光トランシーバは、スモールフォームファクタプラグ着脱可能（small form−factor pluggable transceiver、SFP）トランシーバ（transceiver）、高度スモールフォームファクタプラグ着脱可能（enhanced small form−factor pluggable、SFP＋）トランシーバ、または10ギガビットスモールフォームファクタプラグ着脱可能（10 Gigabit small form−factor pluggable、XFP）トランシーバであり得る。電気トランシーバは、イーサネット（Ethernet）（登録商標）ネットワークインターフェースコントローラ（network interface controller、NIC）であり得る。ワイヤレストランシーバは、ワイヤレスネットワークインターフェースコントローラ（wireless network interface controller、WNIC）であり得る。UEは複数の送信機1403を有する場合がある。
【手続補正１４】
【補正対象書類名】明細書
【補正対象項目名】０３００
【補正方法】変更
【補正の内容】
【０３００】
送信機1403は、Z個のリソースを使用することにより、少なくとも1つの第2のUEにデータを送信するように構成される。
【手続補正１５】
【補正対象書類名】明細書
【補正対象項目名】０３１０
【補正方法】変更
【補正の内容】
【０３１０】
送信機1403は、送信確率Pに従ってZ個のリソース上で少なくとも1つの第2のUEにデータを送信するように構成される。たとえば、第1のUEが決定された利用可能なリソースから10個のリソースを選択し、決定された送信確率Pが0．5である場合、第1のUEは、確率50％に従って10個のリソース上でデータを送信する。統計データの観点から、発見信号は、実際に2回の送信機会ごとに1回送信される。
【国際調査報告】
2018527824.tif 000019
2018527824.tif 000020
2018527824.tif 000021
2018527824.tif 000022